(57)【要約】【課題】画面設置方向が変更されても、簡単に、ユーザに対して快適な視聴環境を提供することができるようにする。【解決手段】  ディスプレイ装置１１のディスプレイ部２１は、内蔵チューナで受信したＴＶ映像信号や、ＤＤＣ１３を介したＰＣ１２からのＰＣ映像信号に対応する映像を表示する。ディスプレイ部２１の４隅には、ステレオ音声を出力するスピーカ３２−１乃至３２−４が設けられている。ディスプレイ装置１１は、ディスプレイ部２１の９０度回転を検出すると、対角に位置する１対のスピーカ３２−１および３２−３から出力される左右音声を切り換えるとともに、ＰＣ１２に画面回転に応じたＰＣ映像信号を生成させ、ＴＶ映像信号を回転させる。本発明は、内蔵されるチューナまたはパーソナルコンピュータからの映像信号に対応する映像をディスプレイ装置に表示する表示システムに適用できる。【選択図】図１
2006295313.tif 000002
【特許請求の範囲】
【請求項１】
画像を表示する制御を行う情報処理装置において、
画像を表示する表示面を有する表示部と、
前記表示部上の前記表示面の周囲に配置された少なくとも４つのスピーカと、
前記表示部の所定の位置を軸とした前記表示部の９０度回転を検出する回転検出手段と、
前記回転検出手段により検出された前記表示部の９０度回転に応じて、前記４つのスピーカのうち、対角位置にある１対のスピーカの左右出力を切り換える切り換え手段と
を備えることを特徴とする情報処理装置。
【請求項２】
前記表示部の所定の位置を軸として前記表示部を回動可能に支持する支持手段を
さらに備えることを特徴とする請求項１に記載の情報処理装置。
【請求項３】
前記回転検出手段により検出された前記表示部の９０度回転に応じて、前記４つのスピーカの出力ゲインを調整する出力調整手段を
さらに備えることを特徴とする請求項１に記載の情報処理装置。
【請求項４】
放送信号を受信する信号受信手段と、
前記回転検出手段により検出された前記表示部の９０度回転に応じて、前記信号受信手段により受信された放送信号の映像信号を回転させる映像回転手段と、
前記映像回転手段により回転された映像信号に対応する映像を前記表示面に表示する制御を行う表示制御手段と
をさらに備えることを特徴とする請求項１に記載の情報処理装置。
【請求項５】
前記映像回転手段により回転された映像信号を、前記回転検出手段により前記９０度回転が検出された前記表示部の画枠に合わせて変倍する映像変倍手段を
さらに備え、
前記表示制御手段は、前記映像変倍手段により変倍された映像信号に対応する映像を前記表示面に表示する制御を行う
ことを特徴とする請求項４に記載の情報処理装置。
【請求項６】
前記回転検出手段により検出された前記表示部の９０度回転の情報を、他の情報処理装置に送信する送信手段と、
前記他の情報処理装置からの映像信号に、前記映像回転手段により回転された映像信号を重畳する重畳手段をさらに備え、
前記表示制御手段は、前記重畳手段により重畳された映像信号に対応する映像を前記表示面に表示する制御を行う
ことを特徴とする請求項４に記載の情報処理装置。
【請求項７】
画像を表示する制御を行う情報処理装置の情報処理方法において、
画像を表示する表示面を有する表示部の所定の位置を軸とした前記表示部の９０度回転を検出する回転検出ステップと、
前記回転検出ステップの処理により検出された前記表示部の９０度回転に応じて、前記表示部上の前記表示面の周囲に配置された少なくとも４つのスピーカのうち、対角位置にある１対のスピーカの左右出力を切り換える切り換えステップと
を含むことを特徴とする情報処理方法。
【請求項８】
画像を表示する制御を行う処理をコンピュータに行わせるプログラムが記録されている記録媒体であって、
画像を表示する表示面を有する表示部の所定の位置を軸とした前記表示部の９０度回転を検出する回転検出ステップと、
前記回転検出ステップの処理により検出された前記表示部の９０度回転に応じて、前記表示部上の前記表示面の周囲に配置された少なくとも４つのスピーカのうち、対角位置にある１対のスピーカの左右出力を切り換える切り換えステップと
を含むことを特徴とするプログラムが記録されている記録媒体。
【請求項９】
画像を表示する制御を行う処理をコンピュータに行わせるプログラムであって、
画像を表示する表示面を有する表示部の所定の位置を軸とした前記表示部の９０度回転を検出する回転検出ステップと、
前記回転検出ステップの処理により検出された前記表示部の９０度回転に応じて、前記表示部上の前記表示面の周囲に配置された少なくとも４つのスピーカのうち、対角位置にある１対のスピーカの左右出力を切り換える切り換えステップと
を含むことを特徴とするプログラム。
【発明の詳細な説明】
【技術分野】
【０００１】
本発明は、情報処理装置および方法、記録媒体、並びにプログラムに関し、特に、画面設置方向に応じて、１対の対角位置の左右の音声チャンネルを切り換えることだけで、画面の設置方向を変えても、ユーザに違和感のない快適なコンテンツの視聴環境を提供することができるようにした情報処理装置および方法、記録媒体、並びにプログラムに関する。
【背景技術】
【０００２】
一般的に、ＣＲＴ（Cathode Ray Tube）、やＬＣＤ(Liquid Crystal Display)などを用いたディスプレイ装置は、横長に画面を固定配置しているが、特許文献１に示されるように、ディスプレイの縦長使用を可能にするために画面の回転機構を有するディスプレイ装置も存在する。
【０００３】
このようなディスプレイ装置において用いられるステレオスピーカは、分離型あるいは内蔵型のどちらかで構成されている。分離型であれば、画面の回転に影響されることなく、ステレオ環境が得られるが、内蔵型である場合、画面が縦長に回転されたときにはステレオ環境を得ることができなかった。
【０００４】
そこで、特許文献２には、縦方向横方向に立て掛け可能な平面表示装置の対角位置に１対のステレオスピーカを設けることにより、立て掛け方向を変えても、ユーザにステレオ環境を提供するようにしたことが提案されている。
【０００５】
なお、特許文献３には、画面がコンピュータに対して前方および後方に回転可能である携帯型情報処理装置において、ステレオスピーカの左右チャンネルを切り換えるようにしたことが提案されている。
【０００６】
【特許文献１】特開２００４−３０２４９１号公報
【特許文献２】特開２００２−１２３３３３号公報
【特許文献３】特開平８−１０１７３０号公報
【発明の開示】
【発明が解決しようとする課題】
【０００７】
ところで、近年、高解像度化などによる映像の再現性の向上に伴い、音声の再現性の向上も求められており、ディスプレイ装置においては、内蔵されるステレオスピーカ数を増やすことにより、リアルな音場の再現（ステレオ環境）を提供している。
【０００８】
しかしながら、ステレオスピーカ数が増加されたディスプレイ装置において、上述したように横長の画面のディスプレイ装置を９０度回転させて、縦長の画面としても設置可能になるよう構成した場合、ステレオスピーカ数の増加により、簡単に、リアルな音場を再現することが困難になった。
【０００９】
本発明は、このような状況に鑑みてなされたものであり、ステレオスピーカの数が増えた場合でも、画面設置方向に応じて、簡単に、リアルな音場を再現することができるようにするものである。
【課題を解決するための手段】
【００１０】
本発明の情報処理装置は、画像を表示する表示面を有する表示部と、表示部上の表示面の周囲に配置された少なくとも４つのスピーカと、表示部の所定の位置を軸とした表示部の９０度回転を検出する回転検出手段と、回転検出手段により検出された表示部の９０度回転に応じて、４つのスピーカのうち、対角位置にある１対のスピーカの左右出力を切り換える切り換え手段とを備えることを特徴とする。
【００１１】
表示部の所定の位置を軸として前記表示部を回動可能に支持する支持手段をさらに備えるようにすることができる。
【００１２】
回転検出手段により検出された表示部の９０度回転に応じて、４つのスピーカの出力ゲインを調整する出力調整手段をさらに備えるようにすることができる。
【００１３】
放送信号を受信する信号受信手段と、回転検出手段により検出された表示部の９０度回転に応じて、信号受信手段により受信された放送信号の映像信号を回転させる映像回転手段と、映像回転手段により回転された映像信号に対応する映像を表示面に表示する制御を行う表示制御手段とをさらに備えるようにすることができる。
【００１４】
映像回転手段により回転された映像信号を、回転検出手段により９０度回転が検出された表示部の画枠に合わせて変倍する映像変倍手段をさらに備え、表示制御手段は、映像変倍手段により変倍された映像信号に対応する映像を表示面に表示する制御を行うようにすることができる。
【００１５】
回転検出手段により検出された表示部の９０度回転の情報を、他の情報処理装置に送信する送信手段と、他の情報処理装置からの映像信号に、映像回転手段により回転された映像信号を重畳する重畳手段をさらに備え、表示制御手段は、重畳手段により重畳された映像信号に対応する映像を表示面に表示する制御を行うようにすることができる。
【００１６】
本発明の情報処理方法は、画像を表示する表示面を有する表示部の所定の位置を軸とした表示部の９０度回転を検出する回転検出ステップと、回転検出ステップの処理により検出された表示部の９０度回転に応じて、表示部上の表示面の周囲に配置された少なくとも４つのスピーカのうち、対角位置にある１対のスピーカの左右出力を切り換える切り換えステップとを含むことを特徴とする。
【００１７】
本発明においては、画像を表示する表示面を有する表示部上の表示面の周囲に、少なくとも４つのスピーカが配置される。そして、表示部の所定の位置を軸とした表示部の９０度回転が検出され、検出された表示部の９０度回転に応じて、表示部上の表示面の周囲に配置された少なくとも４つのスピーカのうち、対角位置にある１対のスピーカの左右出力が切り換えられる。
【００１８】
本発明の情報処理装置は、単体であってもよく、または、表示部と少なくとも４つのスピーカを有する装置であれば、放送信号受信装置、パーソナルコンピュータ、携帯電話機、その他のＰＤＡ(Personal Digital Assistant)機器や、記録再生装置、ＡＶ(Audio Visual)機器や家電（家庭用電化製品）などのＣＥ（Consumer Electronics）機器の情報処理部として構成されていてもよい。
【発明の効果】
【００１９】
本発明によれば、画面設置方向が変更されても、ユーザに対して快適な視聴環境を簡単に提供することができる。
【発明を実施するための最良の形態】
【００２０】
以下に本発明の最良の形態を説明するが、開示される発明と実施の形態との対応関係を例示すると、次のようになる。本明細書中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２１】
さらに、この記載は、明細書に記載されている発明の全てを意味するものではない。換言すれば、この記載は、明細書に記載されている発明であって、この出願では請求されていない発明の存在、すなわち、将来、分割出願されたり、補正により出現し、追加される発明の存在を否定するものではない。
【００２２】
請求項１に記載の情報処理装置（例えば、図１のディスプイレイ装置１１）は、画像を表示する表示面（例えば、図１のＬＣＤ３１）を有する表示部（例えば、図１のディスプレイ部２１）と、表示部上の表示面の周囲に配置された少なくとも４つのスピーカ（例えば、図１のスピーカ３２−１乃至３２−４）と、表示部の所定の位置を軸とした表示部の９０度回転を検出する回転検出手段（例えば、図３の画面回転検出器４３）と、回転検出手段により検出された表示部の９０度回転に応じて、４つのスピーカのうち、対角位置にある１対のスピーカ（例えば、図１のスピーカ３２−１および３２−３）の左右出力を切り換える切り換え手段（例えば、図３のチャンネルマトリクス切換器１３３）とを備えることを特徴とする。
【００２３】
請求項２に記載の情報処理装置は、表示部の所定の位置を軸として前記表示部を回動可能に支持する支持手段（例えば、図１のスタンド部２２）をさらに備えることを特徴とする。
【００２４】
請求項３に記載の情報処理装置は、回転検出手段により検出された表示部の９０度回転に応じて、４つのスピーカの出力ゲインを調整する出力調整手段（例えば、図３の音声出力増幅器１３４）をさらに備えることを特徴とする。
【００２５】
請求項４に記載の情報処理装置は、放送信号を受信する信号受信手段（例えば、図３のチューナ１１１）と、回転検出手段により検出された表示部の９０度回転に応じて、信号受信手段により受信された放送信号の映像信号を回転させる映像回転手段（例えば、図３の映像回転部１１４）と、映像回転手段により回転された映像信号に対応する映像を表示面に表示する制御を行う表示制御手段（例えば、図３のデジタルフォーマット変換部１２１）とをさらに備えることを特徴とする。
【００２６】
請求項５に記載の情報処理装置は、映像回転手段により回転された映像信号を、回転検出手段により９０度回転が検出された表示部の画枠に合わせて変倍する映像変倍手段（例えば、図３の拡大倍率部１１９−１）をさらに備え、表示制御手段は、映像変倍手段により変倍された映像信号に対応する映像を表示面に表示する制御を行うことを特徴とする。
【００２７】
請求項６に記載の情報処理装置は、回転検出手段により検出された表示部の９０度回転の情報を、他の情報処理装置に送信する送信手段（例えば、図３のマイクロコントローラ１０１）と、他の情報処理装置からの映像信号に、映像回転手段により回転された映像信号を重畳する重畳手段（例えば、図３の信号混合部１２０）をさらに備え、表示制御手段は、重畳手段により重畳された映像信号に対応する映像を表示面に表示する制御を行うことを特徴とする。
【００２８】
請求項７に記載の情報処理方法は、画像を表示する表示面を有する表示部の所定の位置を軸とした表示部の９０度回転を検出する回転検出ステップ（例えば、図１１のステップＳ１１）と、回転検出ステップの処理により検出された表示部の９０度回転に応じて、表示部上の表示面の周囲に配置された少なくとも４つのスピーカのうち、対角位置にある１対のスピーカの左右出力を切り換える切り換えステップ（例えば、図１２のステップＳ３４）とを含むことを特徴とする。
【００２９】
なお、請求項８に記載の記録媒体および請求項９に記載のプログラムも、上述した請求項７に記載の情報処理方法と基本的に同様の構成であるため、繰り返しになるのでその説明は省略する。
【００３０】
以下、図を参照して本発明の実施の形態について説明する。
【００３１】
図１は、本発明を適用した表示システムの構成例を示している。この表示システム１においては、例えば、ディスプレイ装置１１に、図示せぬ放送局より受信された放送信号の映像や、接続されるパーソナルコンピュータ（以下、ＰＣと称する）１２からの信号の映像が出力されるとともに、放送信号の音声や、ＰＣ１２からの信号の音声が出力される。
【００３２】
なお、以下、放送局からの信号とＰＣ１２からの信号を区別するために、放送信号から取得される映像信号および音声信号をテレビジョン（ＴＶ）映像信号およびＴＶ音声信号とも適宜称し、ＰＣ１２からの信号をＰＣ映像信号およびＰＣ音声信号とも適宜称する。
【００３３】
ディスプレイ装置１１は、放送局より放送信号を受信するチューナ１１１（図３）を内蔵するディスプレイ部２１と、ディスプレイ部２１を、ディスプレイ部２１の背面の所定の位置を軸として回動可能に支持するスタンド部２２で構成されている。
【００３４】
ディスプレイ部２１（の筐体）の前面（正面）には、ＬＣＤ(Liquid Crystal Display)３１が設けられている。ＬＣＤ３１は、例えば、1680×1050のパネル解像度（有効解像度）からなる、横長（図１の場合）の長方形で構成され、内蔵するチューナ１１１で受信されたＴＶ映像信号や、ＰＣ１２からのＰＣ映像信号に対応する映像を表示する。なお、ＬＣＤは、映像を表示する平面的なＬＣＤ３１であればよく、例えば、ＰＤＰ(Plasma Display Panel)などであってもよく、また、ＬＣＤ３１の縦横比や解像度などは記述例と異なっていてもよい。
【００３５】
また、ディスプレイ部２１の前面の４隅には、内蔵するチューナ１１１で受信されたＴＶ音声信号や、ＰＣ１２からのＰＣ音声信号に対応するステレオ音声を出力する４つのスピーカ３２−１乃至３２−４が、ＬＣＤ３１を囲むように設けられている。
【００３６】
図１の例の場合、スピーカ３２−１は、図中、ディスプレイ部２１の前面の左上隅（すなわち、ディスプレイ部２１に向かって左上隅）に設けられており、左のＴＶ音声信号や左のＰＣ音声信号に対応する左音声を出力する。スピーカ３２−２は、図中、ディスプレイ部２１の前面の右上隅に設けられており、右のＴＶ音声信号や右のＰＣ音声信号に対応する右音声を出力する。
【００３７】
スピーカ３２−３は、図中、ディスプレイ部２１の前面の右下隅に設けられており、右のＴＶ音声信号や右のＰＣ音声信号に対応する右音声を出力する。スピーカ３２−４は、図中、ディスプレイ部２１の前面の左下隅に設けられており、左のＴＶ音声信号や左のＰＣ音声信号に対応する左音声を出力する。
【００３８】
すなわち、スピーカ３２−１および３２−４と、スピーカ３２−２および３２−３は、ＬＣＤ３１に対してそれぞれ上下対象の位置に配置されており、スピーカ３２−１および３２−２と、スピーカ３２−３および３２−４は、ディスプレイ部２１の中央部に対してそれぞれ左右対象の位置に配置されている。
【００３９】
さらに、言い換えると、スピーカ３２−１および３２−３と、スピーカ３２−２および３２−４は、ＬＣＤ３１を挟んでそれぞれ対角位置に配置されている。なお、以下、スピーカ３２−１乃至３２−４を個々に区別する必要がない場合、まとめてスピーカ３２と称する。
【００４０】
ディスプレイ装置１１のディスプレイ部２１は、ＰＣ１２とＶＥＳＡ(Video Electronics Standard Association)規格に基づくＤＤＣ（Display Data Channel）バスを含む複合ＰＣ信号ケーブル（以下、ＤＤＣと称する）１３により接続されている。
【００４１】
ディスプレイ装置１１は、ＤＤＣ１３を介して、ＰＣ１２と映像信号(Ｒ，Ｇ，Ｂ)や音声信号、その他制御信号などを送受信する。また、ディスプレイ装置１１は、ディスプレイ装置１１（ＬＣＤ３１）の表示フォーマットや解像度などのディスプレイ装置１１に関する情報で構成されるディスプレイ装置情報を、ＤＤＣ１３を介してＰＣ１２に送信する。
【００４２】
これにより、ＰＣ１２は、受信したディスプレイ装置情報に応じた映像信号を、ＤＤＣ１３を介してディスプレイ装置１１に送信してくるので、ディスプレイ装置１１は、ＰＣ１２から供給されるＰＣ映像信号に従い、ＰＣ映像信号に対応する所定の映像をＬＣＤ３１に表示することができる。
【００４３】
ＰＣ１２には、ＯＳ（Operating System）としてウィンドウズ（登録商標）（Windows（登録商標））などがインストールされており、そのＯＳ上で動作する表計算作成処理ソフト、文書作成処理ソフト、またはＷｅｂ閲覧ソフトなどの所定のアプリケーションプログラムもインストールされている。また、ＰＣ１２は、図示せぬインターネットなどのネットワークに接続することができるようになっており、Ｗｅｂ閲覧ソフトなどを用いて、所望のＷｅｂサーバ等にアクセスすることもできる。
【００４４】
ＰＣ１２は、ディスプレイ装置１１からのＯＳや所定のアプリケーションを起動するとともに、ＤＤＣ１３を介して、ディスプレイ装置１１からのディスプレイ装置情報に応じて、デスクトップの画面データを生成し、所定の映像信号に変換して、ＤＤＣ１３を介して、ディスプレイ装置１１に送信し、ディスプレイ装置１１のＬＣＤ３１に表示させる。
【００４５】
また、所定のアプリケーションが起動されている場合には、ＰＣ１２は、生成したデスクトップ画面データと、所定のアプリケーション（例えば、表計算作成処理ソフト、文書作成ソフトなど）が作成する映像データを合成し、それを所定の映像信号を変換して、ＤＤＣ１３を介して、ディスプレイ装置１１に送信する。
【００４６】
例えば、ディスプレイ装置情報に、640×480（VGA(Video Graphics Array)）や、1400×1050（SXGA+(Super eXtended Graphics Array Plus)）サイズの解像度が記述されていた場合、ＰＣ１２は、VGAやSXGA+サイズのデジタルＲＧＢ信号の映像信号に変換して、ディスプレイ装置１１に送信する。
【００４７】
ＰＣ１２は、例えば、ハードディスクレコーダやＶＣＲ(Video Cassette Recorder)、またはＤＶＤ（Digital Versatile Disk）プレーヤなどの記録再生装置や、デジタルカメラ（デジタルスチルカメラまたはデジタルビデオカメラ）などの撮像装置から、所定の入出力端子を介して、映像（映像信号）や音声（音声信号）を入力し、それらを再生した映像データを生成し、所定の映像信号を変換して、ＤＤＣ１３を介して、ディスプレイ装置１１に送信することも可能である。
【００４８】
図２は、ディスプレイ装置１１の外観を示す背面図である。
【００４９】
図２の例において、ディスプレイ装置１１のスタンド部２２には、ディスプレイ部２１の所定の位置（図２の例の場合、略中央部）を軸として、ディスプレイ部２１を図中反時計回り（矢印Ｒ方向）に９０度回動可能にさせるように、ディスプレイ部２１の略中央部と接続される接続部２２ａが設けられている。
【００５０】
この接続部２２ａは、自身の略中央部に設けられた図示せぬ接合部材を介して、ディスプレイ部２１が図中反時計回りに９０度回動可能になるようディスプレイ部２１の略中央部と接続されている。なお、接続部２２ａには、説明は省略するが、ディスプレイ部２１が０度の位置（横長画面）や９０度回転した位置（縦長画面）に設置される場合に、ディスプレイ部２１をその位置に保持するための機構も設けられている。
【００５１】
これにより、ユーザは、デフォルトでは、横長画面として設置されている（すなわち、横長画面になるような画面方向で設置されている）ＬＣＤ３１を、ディスプレイ部２１を反時計回りＲに９０度回動させて、縦長画面として設置する（すなわち、縦長画面になるような画面方向で設置する）ことが可能になる。
【００５２】
なお、以下、ＬＣＤ３１が横長画面として設置された場合を、適宜、ＬＣＤ３１が横長画面である場合とも称し、横長画面として設置された場合のＬＣＤ３１を、適宜、横長画面に設置されたＬＣＤ３１、または横長画面であるＬＣＤ３１とも称する。縦長画面の場合も同様である。
【００５３】
また、図２の例においては、図中、接続部２２ａの中央上部の固定位置には、画面回転を検出するためのマグネット４１が埋め込まれている。
【００５４】
さらに、ディスプレイ部２１には、ディスプレイ装置１１の基板４２が内蔵されており、基板４２上には、ディスプレイ部２１の略中央部を軸として、ディスプレイ部２１を物理的に、反時計回りに９０度回動させた場合に、接続部２２ａに埋め込まれたマグネット４１上に重なる（あるいは通過する）位置に、ＬＣＤ３１の９０度回転（すなわちディスプレイ部２１の９０度回転）を検出する画面回転検出器４３が設けられている。
【００５５】
画面回転検出器４３は、例えば、マグネット４１の磁束が通過すると出力電圧を発生するホール素子で構成されている。したがって、画面回転検出器４３は、ディスプレイ部２１が反時計回りに９０度回動され、自身がマグネット４１の磁束上を通過し、出力電圧を発生することで、ＬＣＤ３１が縦長画面になるようにディスプレイ部２１が９０度回転されたことを検出する。そして、画面回転検出器４３は、その発生した出力電圧を図示せぬ内蔵オペアンプで増幅して、それを、画面回転ＯＮ（１）を示す、すなわち、ＬＣＤ３１が縦長画面として設置されたことを示す画面回転信号として、ディスプレイ装置１１内の各部に供給する。
【００５６】
これにより、ディスプレイ装置１１においては、縦長画面として設置されたＬＣＤ３１に応じた映像信号や音声信号の処理が実行される。
【００５７】
一方、縦長画面に設置されたＬＣＤ３１が横長画面になるようにディスプレイ部２１が図中時計回りに回転された場合、言い換えると、ＬＣＤ３１が縦長画面として設置されない場合には、画面回転検出器４３は、出力電圧を発生しないので、その場合には、画面回転ＯＮ（１）を示す画面回転信号が供給されない。すなわち、画面回転検出器４３からは、画面回転ＯＦＦ（０）を示す画面回転信号がディスプレイ装置１１内の各部に供給される。
【００５８】
これにより、ディスプレイ装置１１においては、横長画面として設置されたＬＣＤ３１に応じた映像信号や音声信号の処理が実行される。
【００５９】
なお、上述したディスプレイ部２１の回動の軸となる所定の位置は、ディスプレイ部２１の略中央部に限らず、スタンド部２２の長さとディスプレイ部２１のサイズに応じて、ＬＣＤ３１を横長画面として設置した場合にも、縦長画面として設置した場合にも、設置場所との距離などが適切になるように設定されている。
【００６０】
図３は、ディスプレイ装置１１の内部の構成例を表わしている。なお、図３の例において、図１および図２における場合と対応する部分には対応する符号を付してあり、その説明は繰り返しになるので適宜省略する。
【００６１】
ユーザによるディスプレイ部２１の回転操作に対応して、画面回転検出器４３は、上述した画面回転ＯＮまたはＯＦＦを示す画面回転信号を、マイクロコントローラ１０１、映像回転部１１４、チャンネルマトリクス切換器１３３、および音声出力増幅器１３４に供給する。
【００６２】
マイクロコントローラ１０１は、画面回転検出器４３からの画面回転信号に応じて、通信インタフェース１０４を制御し、画面回転ＯＮ（すなわち、ＬＣＤ３１が縦長画面である）ことを示す画面回転情報を、ＤＤＣ１３を介してＰＣ１２に送信させる。なお、このとき、ＰＣ１２が起動していない場合に対応するため、マイクロコントローラ１０１は、この画面回転ＯＮであることをメモリ１０２に記憶させる。これにより、ＰＣ１２が起動した場合に、画面回転情報をＰＣ１２に提供することができる。
【００６３】
また、マイクロコントローラ１０１は、ユーザの図示せぬリモートコントローラなどの操作により受光部１０３を介して供給される制御信号などに応じて、ディスプレイ装置１１における表示モードを設定する。マイクロコントローラ１０１は、設定した表示モードに応じて映像信号切換器１１６およびステレオ音声信号切換器１３１を制御するとともに、表示モード情報を、ＤＤＣ１３を介してＰＣ１２に送信させる。すなわち、上述したディスプレイ装置情報には、画面回転情報や表示モード情報も含まれる。
【００６４】
表示モードには、例えば、ディスプレイ装置１１において、ＴＶ映像信号の映像が表示され、ＴＶ音声信号の音声が出力されるＴＶ映像表示モードと、ディスプレイ装置１１においてＰＣ映像信号の映像が表示され、ＰＣ音声信号の音声が出力されるＰＣ映像表示モード、そして、ディスプレイ装置１１において、ＰＣ映像信号の映像上に、ＴＶの映像信号の映像が子画面（または、逆であってもよい）として表示されるＷ画面表示モードなどがある。
【００６５】
なお、図３においては、図示を省略するが、マイクロコントローラ１０１は表示モードに応じて、適宜、縮小倍率部１１７−１および１１７−２、拡大倍率部１１９−１および１１９−２、信号混合部１２０なども制御する。
【００６６】
メモリ１０２は、マスクＲＯＭ（Read Only Memory）、EPROM（Erasable Programmable ROM）、またはフラッシュメモリなどのEEPROM(Electrically Erasable Programmable ROM)フラッシュメモリなどにより構成され、ディスプレイ装置情報や、マイクロコントローラ１０１の処理に必要な基本的に固定のパラメータなどを記録している。
【００６７】
受光部１０３は、ユーザが操作する図示せぬリモートコントローラからの赤外線を受光し、受光した赤外線に対応する制御信号をマイクロコントローラ１０１に供給する。
【００６８】
通信インタフェース１０４は、ＰＣ１２からＤＤＣ１３を介して送信されてくるＰＣ映像信号を受信し、映像信号切換器１１６に出力したり、ＰＣ１２からＤＤＣ１３を介して送信されてくるＰＣ音声信号を受信し、ステレオ音声信号切換器１３１に出力する。
【００６９】
また、通信インタフェース１０４は、マイクロコントローラ１０１からの画面回転情報や表示モード情報などのディスプレイ装置情報を、ＤＤＣ１３を介してＰＣ１２に送信したり、ＰＣ１２からの制御信号などを受信し、マイクロコントローラ１０１に供給する。
【００７０】
図示せぬアンテナは、図示せぬ放送局からの放送信号を受信し、ＲＦ（Radio Frequency）信号として、チューナ１１１に出力する。チューナ１１１は、アンテナからのＲＦ信号の中から、所定の放送局の信号を選択し、そのＲＦ信号を、アナログのＶＩＦ／ＳＩＦ(Video Intermediate Frequency/ Sound Intermediate Frequency)信号、すなわち、映像中間周波数信号と音声中間周波数信号に変換し、さらにこれら中間周波数信号をベースバンド信号に復調し、復号器１１２に出力する。
【００７１】
復号器１１２は、映像信号と音声信号のベースバンド信号のうち、そのうちの映像信号を復号して、アナログの映像信号を映像信号フォーマット変換部１１３に出力する。また、復号器１１２は、映像信号と音声信号のベースバンド信号のうち、そのうちの音声信号を復号して、アナログの音声信号をステレオ音声信号切換器１３１に供給する。
【００７２】
映像信号フォーマット変換部１１３は、復号器１１２から入力されるアナログの映像信号を、デジタルの映像信号に変換して、映像回転部１１４に出力する。復号器１１２からは、４８０ｉ（インターレース）のアナログＹＣ信号（輝度信号・色信号）が入力されるので、映像信号フォーマット変換部１１３は、例えば、それを、1024×768ｐ（プログレッシブ）のデジタルＹＣｂＣｒ信号(輝度信号・色差信号)に変換する。
【００７３】
映像回転部１１４は、映像信号フォーマット変換部１１３から入力されるデジタルの映像信号を、一旦、フレームメモリ１１５に格納し、そのまま読み出して、読み出した1024×768の映像信号を、映像信号切換器１１６に出力する。また、映像回転部１１４は、画面回転検出器４３から画面回転信号が供給された場合（すなわち、画面回転がＯＮである場合）、フレームメモリ１１５に格納された映像信号を、９０度回転して読み出し、９０度回転した768×1024の映像信号を、映像信号切換器１１６に出力する。
【００７４】
フレームメモリ１１５は、映像回転部１１４により記録される映像信号、すなわち映像回転部１１４の処理に必要な映像信号を一時的に格納する。
【００７５】
映像信号切換器１１６は、マイクロコントローラ１０１の制御のもと、映像回転部１１４から入力されるデジタルの映像信号（ＴＶ映像信号）、および、通信インタフェース１０４を介して入力されるＰＣ１２からの映像信号（ＰＣ映像信号）の少なくとも一方を選択する。映像信号切換器１１６は、選択したＴＶ映像信号を縮小倍率部１１７−１に出力し、選択したＰＣ映像信号を縮小倍率部１１７−２に出力する。
【００７６】
縮小倍率部１１７−１は、表示モードがＷ画面表示モードであり、ＴＶ映像信号が子画面に表示される場合、映像信号切換器１１６から入力されるＴＶ映像信号を、画面回転（ＬＣＤ３１が横長画面か縦長画面であるか）に応じて、ディスプレイ装置１１において指定されている子画面のサイズに縮小し、デジタルフォーマット変換部１１８に出力する。
【００７７】
例えば、画面回転がＯＮではない（画面回転がＯＦＦである）場合、1024×768の映像信号が入力されるので、縮小倍率部１１７−１は、子画面のサイズ（例えば320×240または640×480）に縮小して出力する。また、画面回転がＯＮである場合、768×1024の映像信号が入力されるので、縮小倍率部１１７−１は、子画面のサイズ（例えば240×320または480×640）に縮小して出力する。
【００７８】
それ以外の場合、すなわち、表示モードがＴＶ映像表示モードであったり、表示モードがＷ画面表示モードであり、ＴＶ映像信号がメイン画面に表示される場合には、縮小倍率部１１７−１は、ＴＶ映像信号をそのまま、デジタルフォーマット変換部１１８に出力する。
【００７９】
縮小倍率部１１７−２は、縮小倍率部１１７−１と同様に、表示モードがＷ画面表示モードであり、ＰＣ映像信号が子画面に表示される場合、映像信号切換器１１６から入力されるＰＣ映像信号（例えば、640×480（VGA）サイズのデジタルＲＧＢ信号）を、指定されている子画面のサイズに縮小し、拡大倍率部１１９−２に出力する。それ以外の場合、縮小倍率部１１７−２は、ＰＣ映像信号をそのまま、拡大倍率部１１９−２に出力する。
【００８０】
デジタルフォーマット変換部１１８は、縮小倍率部１１７−１からのＴＶ映像信号（デジタルＹＣｂＣｒ信号）の画質を調整し、その後、デジタルＲＧＢ信号に変換し、変換したＴＶ映像信号（デジタルＲＧＢ信号）を拡大倍率部１１９−１に出力する。
【００８１】
拡大倍率部１１９−１は、ＴＶ映像信号が子画面に表示されない場合（すなわち、フルスクリーン表示する場合）かつ、入力されたＴＶ映像信号の解像度が、ＬＣＤ３１のパネル解像度（1680×1050）よりも低い場合、画面回転（ＬＣＤ３１が横長画面か縦長画面であるか）に応じて、入力されたＴＶ映像信号を拡大して、信号混合部１２０に出力する。また、ＴＶ映像信号が子画面に表示される場合には、拡大倍率部１１９−１は、ＴＶ映像信号をそのまま、信号混合部１２０に出力する。
【００８２】
例えば、画面回転がＯＮではない（画面回転がＯＦＦである）場合、1024×768の映像信号が入力されるので、拡大倍率部１１９−１は、ＬＣＤ３１のパネル解像度サイズ（1680×1050）に拡大して出力する。ただし、画面回転がＯＮである場合、768×1024の映像信号が入力され、ＬＣＤ３１のパネル解像度サイズ（1680×1050）と縦横の比率が異なる。したがって、この場合、拡大倍率部１１９−１においては、ＴＶ映像信号が、（786×1050）サイズに拡大され、残りの情報のない部分には、黒い映像信号が付加されて、出力される。
【００８３】
拡大倍率部１１９−２は、ＰＣ映像信号が子画面に表示されない場合（すなわち、フルスクリーン表示する場合）かつ、入力されたＰＣ映像信号（例えば、640×480（VGA）サイズのデジタルＲＧＢ信号）の解像度が、ＬＣＤ３１のパネル解像度（1680×1050）よりも低い場合、入力されたＰＣ映像信号を拡大して、信号混合部１２０に出力する。また、ＰＣ映像信号が子画面に表示される場合には、拡大倍率部１１９−２はＰＣ映像信号をそのまま、信号混合部１２０に出力する。
【００８４】
なお、拡大倍率部１１９−１および拡大倍率部１１９−２においては、リニアに拡大されるだけでなく、表示モードに応じて、部分拡大などのノンリニアの拡大も実行される。また、リニアに拡大した場合には、上述したように、ＬＣＤ３１のサイズと縦横の比率が異なるが、情報のない部分も表示させる必要があるときには、拡大倍率部１１９−１および拡大倍率部１１９−２において、各映像信号には、黒や青などの映像信号が付加されて、信号混合部１２０に出力される。
【００８５】
信号混合部１２０は、拡大倍率部１１９−１からのＴＶ映像信号、および拡大倍率部１１９−２からのＰＣ映像信号の少なくとも一方を入力する。信号混合部１２０は、ＴＶ映像信（1680×1050）号またはＰＣ映像信号（1680×1050）のどちらかだけが入力された場合（すなわち、ＴＶ映像表示モードやＰＣ映像表示モードの場合）には、入力された映像信号を、ＴＴＬ(Transistor-Transistor Logic)方式の信号に変換して、デジタルフォーマット変換部１２１に出力する。
【００８６】
信号混合部１２０は、拡大倍率部１１９−１からのＴＶ映像信号、および拡大倍率部１１９−２からのＰＣ映像信号を入力した場合には、メイン画面の映像信号（1680×1050）に、子画面の映像信号（320×240）を重畳（合成）して、ＴＴＬ方式の信号に変換して、デジタルフォーマット変換部１２１に出力する。
【００８７】
デジタルフォーマット変換部１２１は、信号混合部１２０から入力されるＴＴＬ方式の映像信号を、LVDS(Low Voltage Differential Signaling)、TMDS（Transition Minimized Differential Signaling）、または、RSDS(登録商標）（Reduced Swing Differential Signaling  Interface）などのＬＣＤ３１が対応するフォーマットに変換して、変換した映像信号をＬＣＤ３１に出力する。
【００８８】
これにより、ＬＣＤ３１には、デジタルフォーマット変換部１２１からの映像信号に対応する映像が表示される。
【００８９】
ステレオ音声信号切換器１３１は、マイクロコントローラ１０１の制御のもと、復号部１１２から入力されるステレオの音声信号（ＴＶ音声信号）、および、通信インタフェース１０４を介して入力されるＰＣ１２からのステレオの音声信号（ＰＣ音声信号）の少なくとも一方を選択し、選択したステレオの音声信号をステレオ前置増幅器１３２に出力する。
【００９０】
ステレオ前置増幅器１３２は、ステレオ音声信号切換器１３１から入力されたステレオの音声信号に、右、左に応じた音量調整および音質調整(トーンコントロール、ラウドネス、および消音など)を実行し、調整されたステレオの音声信号（左音声信号および右音声信号）をチャンネルマトリクス切換器１３３に出力する。
【００９１】
チャンネルマトリクス切換器１３３は、ステレオ前置増幅器１３２から入力される左音声信号および右音声信号を、対応するスピーカ３２−１乃至３２−４に振り分けるためのセレクタ１４１（図４）で構成され、画面回転検出器４３から供給される画面回転信号に応じて、左音声信号および右音声信号を、所定のスピーカ３２−１乃至３２−４から出力されるように、音声出力増幅器１３４に出力する。
【００９２】
すなわち、チャンネルマトリクス切換器１３３は、ディスプレイ部２１の正面（に向かって）左側に配置され、左音声信号を出力するスピーカ３２が対応する音声出力増幅器１３４には左音声信号が出力されるように、かつ、ディスプレイ部２１の正面（に向かって）右側に配置され、右音声信号を出力するスピーカ３２が対応する音声出力増幅器１３４には右音声信号が出力されるように内蔵するセレクタ１４１を切り換える。
【００９３】
音声出力増幅器１３４は、画面回転検出器４３から供給される画面回転信号に応じて、各スピーカ３２に出力する音声信号の増幅率を調整し、調整した増幅率で音声信号を増幅し、対応するスピーカ３２に出力する。
【００９４】
すなわち、音声出力増幅器１３４には、横長画面に設置されたＬＣＤ３１用（すなわち、横長画面用）と、縦長画面に設置されたＬＣＤ３１用（すなわち、縦長画面用）の増幅率（ゲイン）が予め設定されており、画面回転検出器４３から供給される画面回転信号に応じて、増幅率を切り換えることにより、増幅率を調整する。
【００９５】
図４は、図３のチャンネルマトリクス切換器および音声出力増幅器の詳細な構成例を示す図である。
【００９６】
チャンネルマトリクス切換器１３３は、スピーカ３２−１に出力する音声の音声信号、すなわち、音声出力増幅器１３４−１に入力される左右の音声信号を切り換えるセレクタ１４１−１、およびスピーカ３２−３に出力する音声の音声信号、すなわち、音声出力増幅器１３４−３に入力される左右の音声信号を切り換えるセレクタ１４１−２により構成されている。
【００９７】
セレクタ１４１−１は、左音声信号を選択する端子ｗ１と、右音声信号を選択する端子ｈ１を有し、画面回転がＯＦＦであって、ＬＣＤ３１が横長画面である場合、端子ｗ１を選択し、左音声信号を音声出力増幅器１３４−１に出力する。セレクタ１４１−１は、画面回転がＯＮであって、ＬＣＤ３１が縦長画面である場合、端子ｈ１を選択し、右音声信号を音声出力増幅器１３４−１に出力する。
【００９８】
セレクタ１４１−２は、左音声信号を選択する端子ｈ２と、右音声信号を選択する端子ｗ２を有し、画面回転がＯＮであって、ＬＣＤ３１が縦長画面である場合、端子ｈ２を選択し、左音声信号を音声出力増幅器１３４−３に出力する。セレクタ１４１−２は、画面回転がＯＦＦであって、ＬＣＤ３１が横長画面である場合、端子ｗ２を選択し、右音声信号を音声出力増幅器１３４−３に出力する。
【００９９】
音声出力増幅器１３４は、スピーカ３２−１に出力する音声信号を増幅する音声出力増幅器１３４−１、スピーカ３２−２に出力する音声信号を増幅する音声出力増幅器１３４−２、スピーカ３２−３に出力する音声信号を増幅する音声出力増幅器１３４−３、およびスピーカ３２−４に出力する音声信号を増幅する音声出力増幅器１３４−４により構成される。
【０１００】
音声出力増幅器１３４−１乃至１３４−４は、各スピーカ３２−１乃至３２−４に対応して、それぞれ横長画面用の増幅率と縦長画面用の増幅率を有しており、画面回転のＯＮまたはＯＦＦに応じて増幅率を切り換える。すなわち、音声出力増幅器１３４−１乃至１３４−４は、画面回転がＯＦＦであって、ＬＣＤ３１が横長画面である場合、横長画面用の増幅率で音声信号を増幅し、画面回転がＯＮであって、ＬＣＤ３１が縦長画面である場合、縦長画面用の増幅率で音声信号を増幅する。
【０１０１】
さらに、図４の例においては、音声出力増幅器１３４−１乃至１３４−４には、横長および縦長画面のそれぞれ配置位置に応じた増幅率が設定されている。例えば、左右のスピーカから出力した音声で生成される音場（仮想スピーカ位置）の位置を下げたい場合には、縦長画面上部用よりも縦長画面下部用の増幅率を上げるように設定され、音場の位置を上げたい場合には、縦長画面下部用よりも縦長画面上部用の増幅率を上げるように設定される。
【０１０２】
すなわち、音声出力増幅器１３４−１は、横長画面上部用と縦長画面上部用の増幅率を有しており、音声出力増幅器１３４−２は、横長画面上部用と縦長画面下部用の増幅率を有しており、音声出力増幅器１３４−３は、横長画面下部用と縦長画面下部用の増幅率を有しており、音声出力増幅器１３４−４は、横長画面下部用と縦長画面上部用の増幅率を有している。
【０１０３】
次に、図５を参照して、図４のチャンネルマトリクス切換器および音声出力増幅器における音声信号の処理について詳しく説明する。
【０１０４】
図５の例においては、ＬＣＤ３１が横長画面となるように画面方向が設置された横長画面のディスプレイ部２１Ｗと、横長画面のディスプレイ部２１Ｗが、その略中央部を軸に時計回り（矢印Ｒ方向、すなわち、図２においては反時計回り）に９０度回転され、ＬＣＤ３１が縦長画面となるように画面方向が設定された縦長画面のディスプレイ部２１Ｈが示されている。
【０１０５】
横長画面のディスプレイ部２１Ｗにおいては、図中ＬＣＤ３１の左下に配置されるスピーカ３２−４から左音声が出力され、セレクタ１４１−１が端子ｗ１を選択することにより、図中ＬＣＤ３１の左上に配置されるスピーカ３２−１から左音声が出力される。
【０１０６】
また、スピーカ３２−１に対応する音声出力増幅器１３４−１と、スピーカ３２−４に対応する音声出力増幅器１３４−４には、ＬＣＤ３１が横長画面（すなわち、画面回転がＯＦＦ）の場合に、スピーカ３２−１および３２−４の略中間の位置に、左音声の音場１５１Ｌが生成されるように、横長画面上部用および下部用の左音声の増幅率がそれぞれ予め設定されている。
【０１０７】
したがって、横長画面のディスプレイ部２１Ｗの場合、音声出力増幅器１３４−１は、セレクタ１４１−１を介して入力される左音声信号を、横長画面上部用の左音声の増幅率で増幅し、スピーカ３２−１に出力し、音声出力増幅器１３４−４は、入力される左音声信号を、横長画面下部用の左音声の増幅率で増幅し、スピーカ３２−４に出力する。
【０１０８】
これにより、スピーカ３２−１および３２−４の略中間の位置に、スピーカ３２−１および３２−４から出力される音声から、左音声の音場（仮想スピーカ位置）１５１Ｌが生成される。
【０１０９】
同様に、横長画面のディスプレイ部２１Ｗにおいては、図中ＬＣＤ３１の右上に配置されるスピーカ３２−２から右音声が出力され、セレクタ１４１−２が端子ｗ２を選択することにより、図中ＬＣＤ３１の右下に配置されるスピーカ３２−３から右音声が出力される。
【０１１０】
また、スピーカ３２−２に対応する音声出力増幅器１３４−２と、スピーカ３２−３に対応する音声出力増幅器１３４−３には、ＬＣＤ３１が横長画面（すなわち、画面回転がＯＦＦ）の場合に、スピーカ３２−２および３２−３の略中間の位置に、右音声の音場１５１Ｒが生成されるように、横長画面上部用および下部用の右音声の増幅率がそれぞれ予め設定されている。
【０１１１】
したがって、横長画面のディスプレイ部２１Ｗの場合、音声出力増幅器１３４−２は入力される右音声信号を、横長画面上部用の右音声の増幅率で増幅し、スピーカ３２−２に出力し、音声出力増幅器１３４−３は、セレクタ１４１−２を介して入力される右音声信号を、横長画面下部用の右音声の増幅率で増幅し、スピーカ３２−３に出力する。
【０１１２】
これにより、スピーカ３２−２および３２−３の略中間の位置に、スピーカ３２−２および３２−３から出力される音声から、右音声の音場１５１Ｒが生成される。
【０１１３】
以上により、横長画面のディスプレイ部２１Ｗにおいては、音場中心が横長画面のディスプレイ部２１Ｗの略中央部となるように切り換えられ、調整された増幅率で増幅された音声がスピーカ３２−１乃至３２−４から出力されて、左音声の音場１５１Ｌおよび右音声の音場１５１Ｒからなるステレオ音声の音場１５１が提供されるので、ユーザは、心地よく音声を聞くことができる。
【０１１４】
一方、横長画面のディスプレイ部２１Ｗを、その略中央部を軸に時計回り（矢印Ｒ方向）、に９０度回転させ、ＬＣＤ３１が縦長画面となるように画面方向を設置した場合の縦長画面のディスプレイ部２１Ｈにおいては、横長画面のディスプレイ部２１Ｗの左側に配置されていたスピーカ３２−１が、右側に配置されることになる。縦長画面のディスプレイ部２１Ｈにおいては、横長画面のディスプレイ部２１Ｗの右側に配置されていたスピーカ３２−３が、左側に配置されることになる。
【０１１５】
すなわち、縦長画面のディスプレイ部２１Ｈにおいては、図中ＬＣＤ３１の左上に配置されるスピーカ３２−４から左音声が出力され、セレクタ１４１−２が端子ｈ２を選択することにより、図中ＬＣＤ３１の左下に配置されるスピーカ３２−３から左音声が出力される。
【０１１６】
また、スピーカ３２−４に対応する音声出力増幅器１３４−４と、スピーカ３２−３に対応する音声出力増幅器１３４−３には、ＬＣＤ３１が縦長画面（すなわち、画面回転がＯＮ）の場合に、スピーカ３２−４および３２−３の略中間の位置に、左音声の音場１５２Ｌが生成されるように、縦長画面上部用および下部用の左音声の増幅率がそれぞれ予め設定されている。
【０１１７】
したがって、縦長画面のディスプレイ部２１Ｈの場合、音声出力増幅器１３４−４は、入力される左音声信号を、縦長画面上部用の左音声の増幅率で増幅し、スピーカ３２−４に出力し、音声出力増幅器１３４−３は、セレクタ１４１−２を介して入力される左音声信号を、縦長画面下部用の左音声の増幅率で増幅し、スピーカ３２−３に出力する。
【０１１８】
これにより、スピーカ３２−３および３２−４の略中間の位置に、スピーカ３２−３および３２−４から出力される音声から、左音声の音場１５２Ｌが生成される。
【０１１９】
同様に、縦長画面のディスプレイ部２１Ｈにおいては、図中ＬＣＤ３１の右下に配置されるスピーカ３２−２から右音声が出力され、セレクタ１４１−１が端子ｈ１を選択することにより、図中ＬＣＤ３１の右上に配置されるスピーカ３２−１から右音声が出力される。
【０１２０】
また、スピーカ３２−１に対応する音声出力増幅器１３４−１と、スピーカ３２−２に対応する音声出力増幅器１３４−２には、ＬＣＤ３１が縦長画面（すなわち、画面回転がＯＮ）の場合に、スピーカ３２−１および３２−２の略中間の位置に、右音声の音場１５２Ｒが生成されるように、縦長画面上部用および下部用の右音声の増幅率がそれぞれ予め設定されている。
【０１２１】
したがって、縦長画面のディスプレイ部２１Ｈの場合、音声出力増幅器１３４−１は、セレクタ１４１−１を介して入力される右音声信号を、縦長画面上部用の右音声の増幅率で増幅し、スピーカ３２−１に出力し、音声出力増幅器１３４−２は、入力される右音声信号を、縦長画面下部用の右音声の増幅率で増幅し、スピーカ３２−２に出力する。
【０１２２】
これにより、スピーカ３２−１および３２−２の略中間の位置に、スピーカ３２−１および３２−２から出力される音声から、右音声の音場１５２Ｒが生成される。
【０１２３】
以上により、縦長画面のディスプレイ部２１Ｈにおいては、音場中心が縦長画面のディスプレイ部２１Ｈの略中央部となるように切り換えられ、調整された増幅率で増幅された音声がスピーカ３２−１乃至３２−４から出力されるので、左音声の音場１５２Ｌおよび右音声の音場１５２Ｒからなるステレオ音声の音場１５２が提供され、ユーザは、心地よく音声を聞くことができる。
【０１２４】
以上のように、ディスプレイ部２１が時計回りに９０度回転された場合に、ディスプレイ部２１において対角に位置する１対のスピーカ３２（スピーカ３２−１と３２−３）から出力させる音声を切り換えるようにしたので、ディスプレイ部２１が時計回りに９０度回転されたとしても、１対のスピーカを切り換えるだけで簡単に、ユーザにステレオ音声を提供することができる。
【０１２５】
また、ディスプレイ部２１の縦横の長さの比率が異なる場合、あるいは、ディスプレイ部２１がその略中央部ではなく、略中央部から所定の距離離れた位置などを軸に回動される場合、ディスプレイ部２１Ｗが９０度回動された縦長画面のディスプレイ部２１Ｈにおいては、音場の中心を横長画面のディスプレイ部２１Ｗに合わせて設定された増幅率では、ステレオ音声の音場が、縦長画面のディスプレイ部２１Ｈの所望の位置（例えば、ディスプレイ部２１Ｈの略中央部、あるいは略中央部から５cm下の位置など）から外れた位置に生成されてしまう場合がある。
【０１２６】
このような場合、ディスプレイ部２１の回転に伴い、ステレオ音声の音場が上下してしまうことになり、ユーザにとって、音声が聞きにくくなるため、ユーザは、違和感を受けてしまう場合がある。
【０１２７】
これに対応して、さらに、音声出力増幅器１３４に横長画面用と縦長画面用の増幅率を予め設定しておき、画面回転検出器４３から画面回転信号を供給させ、ディスプレイ部２１の回転に応じて切り換えるようにしたので、ディスプレイ部２１のＬＣＤ３１が縦長画面あるいは横長画面に配置されたとしても、ＬＣＤ３１の配置方向に応じて適切な位置にステレオ音場を生成することができる。
【０１２８】
これにより、ユーザに、心地よいステレオ音場を提供することができる。
【０１２９】
なお、図５の例においては、ディスプレイ部２１を、ディスプレイ部２１の略中央部を軸として、矢印Ｒの時計回り（すなわち、ディスプレイ部２１に向かって、時計回り）に９０度回転させる場合を説明したが、ディスプレイ部２１を、ディスプレイ部２１の略中央部を軸として、図５に示される矢印Ｒとは反対方向である反時計回り（すなわち、ディスプレイ部２１に向かって、反時計回り）に９０度回転させてもよい。
【０１３０】
この場合、横長画面のディスプレイ部２１Ｗを、その略中央部を軸に反時計回り（矢印Ｒの逆方向）、に９０度回転させ、ＬＣＤ３１が縦長画面となるように画面方向を設置した場合の縦長画面のディスプレイ部２１（図示せず）においては、横長画面のディスプレイ部２１Ｗの左側に配置されていたスピーカ３２−４が、右側（下部）に配置されることになり、横長画面のディスプレイ部２１Ｗの右側に配置されていたスピーカ３２−２が、左側（上部）に配置されることになる。
【０１３１】
したがって、チャンネルマトリクス切換器１３３は、ディスプレイ部２１の反９０度回転に応じて、右音声が出力されていたスピーカ３２−２に、左音声信号に対応する音声が出力されるように、かつ、左音声が出力されていたスピーカ３２−４に、右音声信号に対応する音声が出力されるように切り換える。
【０１３２】
すなわち、反９０度回転される場合には、チャンネルマトリクス切換器１３３においては、ディスプレイ部２１において対角に位置する１対のスピーカ３２（スピーカ３２−２と３２−４）から出力させる音声を切り換えるように構成される。なお、この場合、ディスプレイ装置１１の映像回転部１１４およびＰＣ１２においても、もちろん、反９０度回転させて映像信号を処理するように構成される。
【０１３３】
なお、以下、特に言及せずに回転方向を説明する場合には、図５の例における時計回りおよび反時計回りを表わすものとする。
【０１３４】
次に、図６および図７を参照して、図４の映像回転部における映像信号の処理について詳しく説明する。
【０１３５】
図６の例においては、映像回転部１１４に入力される映像信号に対応する映像１６１と、画面回転がＯＮである場合に映像回転部１１４から出力される映像信号に対応する映像１６２が示されている。なお、映像１６１および映像１６２上に示される矢印は、それぞれが対応する映像信号の走査線の向きを表わしており、その矢印に付加されている数字は、走査順を表わしている。
【０１３６】
放送局より送信される放送信号が所定のフォーマット（例えば、1024×768ｐのデジタルＹＣｂＣｒ信号）に変換された信号である映像信号の映像１６１は、図中上方向を上に正立した映像であり、その映像信号の走査線は、図中左上から順に、左から右の方向に走査している。
【０１３７】
この映像信号が通常のディスプレイ（すなわち、画面回転がＯＦＦである横長画面のディスプレイ部２１ＷのＬＣＤ３１）において表示される映像１６１ａは、映像１６１と同様に、図中上方向を上に正立した状態で表示される。
【０１３８】
しかしながら、この映像１６１が対応する映像信号を、横長画面のディスプレイ部２１Ｗが９０度回転された縦長画面のディスプレイ部２１ＨのＬＣＤ３１に表示させた場合、ＬＣＤ３１に表示される映像１６１ｂは、図７に示されるように、図中右方向を上に正立した状態で表示されてしまう。
【０１３９】
そこで、ディスプレイ装置１１においては、映像回転部１１４に、画面回転検出器４３から画面回転信号を供給させ、フレームメモリ１１５に格納した映像１６１が対応する映像信号を読み出す際に、画面回転がＯＮであれば、映像１６１が対応する映像信号をディスプレイ部２１の回転方向と逆方向に９０度回転して読み出させる。
【０１４０】
これにより、９０度回転されて読み出された映像信号が対応する映像１６２を、図中上方向を上に正立した映像としてみる場合、その映像信号の走査線は、図中右上から順に、上から下の方向に走査する状態となる。
【０１４１】
したがって、この映像信号が通常のディスプレイ（すなわち、画面回転がＯＦＦである横長画面のディスプレイ部２１ＷのＬＣＤ３１）において表示される映像１６２ａは、映像１６２に対して、図中反時計回りに９０度回転された状態、すなわち、図中左方向を上に正立した状態で表示される。
【０１４２】
一方、この映像１６２が対応する映像信号を、縦長画面のディスプレイ部２１ＨのＬＣＤ３１に表示させた場合、ＬＣＤ３１に表示される映像１６２ｂは、図７に示されるように、図中上方向を上に正立した状態で表示される。
【０１４３】
以上のように、ディスプレイ部２１が時計回りに９０度回転された場合に、ディスプレイ部２１において受信された放送信号の映像信号を反時計回りに９０度回転させて、ＬＣＤ３１に表示するようにしたので、ディスプレイ部２１が時計回りに９０度回転されたとしても、ユーザに、正しく正立されたＴＶ映像を提供することができる。
【０１４４】
なお、上記説明においては、チューナ１１１により受信された放送信号の映像信号を用いて説明したが、例えば、ディスプレイ装置１１に、例えば、ハードディスクレコーダやＶＣＲ、またはＤＶＤプレーヤなどの記録再生装置が接続され、記録再生装置から供給される映像信号についても同様な処理を行うことができる。
【０１４５】
図８は、ＰＣ１２のハードウェア構成例を表している。
【０１４６】
ＣＰＵ（Central Processing Unit）２１１は、ＲＯＭ（Read Only Memory）２１２に記憶されているプログラム、または記憶部２１８からＲＡＭ（Random Access Memory）２１３にロードされたプログラムに従って各種の処理を実行する。ＲＡＭ２１３にはまた、ＣＰＵ２１１が各種の処理を実行する上において必要なデータなども適宜記憶される。
【０１４７】
ここで、記憶部２１８からＲＡＭ２１３にロードされ、ＣＰＵ２１１において処理が実行されるプログラム（アプリケーション）としては、上述したＯＳや表計算作成処理ソフト、Ｗｅｂ閲覧ソフトの他、ディスプレイ装置１１のディスプレイ装置情報を取得して、ディスプレイ装置情報に応じた映像信号および音声信号を生成する処理を行う信号生成処理プログラムなどがある。なお、信号生成処理プログラムは、常駐プログラムであることが望ましい。
【０１４８】
ＣＰＵ２１１、ＲＯＭ２１２、およびＲＡＭ２１３は、バス２１４を介して相互に接続されている。このバス２１４にはまた、入出力インタフェース２１５も接続されている。
【０１４９】
入出力インタフェース２１５には、キーボード、マウスなどよりなる入力部２１６、ＤＤＣ１３用の入出力端子からなり、ディスプレイ装置１１と映像信号、音声信号、および制御信号などの送受信を行う出力インタフェース２１７、ＯＳや表計算作成処理ソフト、信号生成処理プログラムなどの各種の（アプリケーション）プログラムが記憶されるハードディスクなどより構成される記憶部２１８、モデム、または、ターミナルアダプタなどより構成される通信部２１９が接続されている。
【０１５０】
記憶部２１８に記憶されているプログラムは、ユーザの操作に対応する入力部２１６からの操作信号に基づくＣＰＵ２１１の制御により、ＲＡＭ２１３などにロードされる。通信部２１９は、図示せぬインターネットなどのネットワークを介しての通信処理を行う。
【０１５１】
入出力インタフェース２１５にはまた、必要に応じてドライブ２２０が接続され、磁気ディスク２２１、光ディスク２２２、光磁気ディスク２２３、或いは半導体メモリ２２４などが適宜装着され、それから読み出されたコンピュータプログラムが、必要に応じて記憶部２１８にインストールされる。
【０１５２】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０１５３】
この記録媒体は、図８に示されるように、装置本体とは別に、ユーザにプログラムを提供するために配布される、プログラムが記録されている磁気ディスク２２１（フレキシブルディスクを含む）、光ディスク２２２（CD-ROM(Compact Disk-Read Only Memory)，ＤＶＤ(Digital Versatile Disk)を含む）、光磁気ディスク２２３（MD(Mini-Disk)（商標）を含む）、もしくは半導体メモリ２２４などよりなるパッケージメディアにより構成されるだけでなく、装置本体に予め組み込まれた状態でユーザに提供される、プログラムが記録されているＲＯＭ２１２や、記憶部２１９に含まれるハードディスクなどで構成される。
【０１５４】
図９は、ディスプレイ装置１１からのディスプレイ装置情報を取得して、ディスプレイ装置情報に応じた映像信号および音声信号を生成する処理を行うＰＣ１２の機能構成例を示すブロック図である。
【０１５５】
図９に示される機能ブロックは、ＰＣ１２のＣＰＵ２１１により、ＯＳが起動され、さらに、信号生成処理プログラムが実行されることで実現される。
【０１５６】
信号生成制御部２５１は、ディスプレイ情報取得部２５２から供給されるディスプレイ装置情報（すなわち、表示フォーマットや解像度、画面回転情報、表示モード情報など）に応じて、壁紙データ取得部２５３、映像信号生成部２５４、および音声信号生成部２５５を制御し、ディスプレイ装置１１のＬＣＤ３１に出力させる映像信号や音声信号を生成させる。
【０１５７】
また、信号生成制御部２５１は、起動直後、ディスプレイ情報取得部２５２を制御し、
ＤＤＣ１３を介して、ディスプレイ装置１１にディスプレイ装置情報を要求させる。
【０１５８】
ディスプレイ情報取得部２５２は、ＤＤＣ１３を介して出力インタフェース２１７に受信されるディスプレイ装置１１からのディスプレイ装置情報を取得し、信号生成制御部２５１に供給する。ディスプレイ情報取得部２５２は、また、信号生成制御部２５１の制御のもと、ディスプレイ装置１１にディスプレイ装置情報を要求する。
【０１５９】
壁紙データ取得部２５３は、信号生成制御部２５１からの制御のもと、デスクトップにおける壁紙として設定されている壁紙（画像）データとして、横長画面用の壁紙データまたは縦長画面用の壁紙データを、記憶部２１８などから取得し、取得した壁紙データを映像信号生成部２５４に出力する。
【０１６０】
なお、壁紙データ取得部２５３は、記憶部２１８に、横長画面用の壁紙データしか記憶されていない場合、縦長画面用の壁紙データを生成して、生成した縦長画面用の壁紙データを映像信号生成部２５４に出力するようにしてもよい。
【０１６１】
映像信号生成部２５４は、信号生成制御部２５１からの制御のもと、横長画面用、または、縦長画面用のデスクトップ画面データを生成し、生成したデスクトップ画面データに、壁紙データ取得部２５３により取得された壁紙データや、現在起動中の他のプログラムにより生成される映像データを合成する。また、映像信号生成部２５４は、映像データを、ディスプレイ装置１１の表示フォーマットや解像度に応じた映像信号（例えば、VGAやSXGA+サイズのデジタルＲＧＢ信号）に変換して、信号送信部２５６に出力する。
【０１６２】
音声信号生成部２５５は、信号生成制御部２５１からの制御のもと、ＯＳや現在起動中の他のプログラムから得られる音声データを、ディスプレイ装置１１の出力に応じた音声信号に変換して、信号送信部２５６に出力する。
【０１６３】
信号送信部２５６は、映像信号生成部２５４から入力される映像信号、および音声信号生成部２５５から入力される音声信号を、出力インタフェース２１７およびＤＤＣ１３を介して、ディスプレイ装置１１に送信する。
【０１６４】
図１０は、ディスプレイ部２１のＬＣＤ３１に表示されるＰＣ映像信号に対応する映像の表示例を示している。図１０の例においては、図５を参照して説明した横長画面のディスプレイ部２１Ｗと、縦長画面のディスプレイ部２１Ｈが示されており、図５と対応する部分には対応する符号が付してあり、その説明は繰り返しになるので省略する。
【０１６５】
図１０の例の横長画面のディスプレイ部２１ＷのＬＣＤ３１には、ＰＣ１２からＤＤＣ１３を介して受信されたＰＣ映像信号に対応する映像２７１が表示されている。
【０１６６】
映像２７１は、アイコンやメニューバーなどの横長画面用のデスクトップ映像２８１、桜模様の横長画面用の壁紙２８２、およびアプリケーションウィンドウ２８３からなる。
【０１６７】
すなわち、ＰＣ１２の映像信号生成部２５４は、ディスプレイ装置１１からＤＤＣ１３を介して、画面回転がＯＦＦである（すなわち、ＬＣＤ３１が横長画面として設置されている）ことを示す画面回転情報を受信すると、画面回転情報に応じて横長画面用のデスクトップ映像２８１の映像データを生成する。また、映像信号生成部２５４は、生成したデスクトップ映像２８１の映像データに、壁紙データ取得部２５３により取得された横長画面用の壁紙２８２の映像データと、ＰＣ１２において起動中の他のプログラムにより生成されたアプリケーションウィンドウ２８３の映像データを合成する。
【０１６８】
そして、映像信号生成部２５４は、ディスプレイ装置１１の表示フォーマットや解像度に応じた映像信号に変換して、ＤＤＣ１３を介して、ディスプレイ装置１１に送信する。これにより、ディスプレイ装置１１において、画面回転がＯＦＦである場合の横長画面のディスプレイ部２１ＷのＬＣＤ３１には、横長画面用に生成された映像２７１が表示される。
【０１６９】
一方、横長画面のディスプレイ部２１Ｗを、その略中央部を軸に時計回りに９０度回転させ、ＬＣＤ３１が縦長画面となるように画面方向を設置した場合の縦長画面のディスプレイ部２１ＨのＬＣＤ３１には、ＰＣ１２からＤＤＣ１３を介して受信されたＰＣ映像信号に対応する映像２７２が表示されている。
【０１７０】
映像２７２は、アイコンやメニューバーなどの縦長画面用のデスクトップ映像２９１、桜模様の縦長画面用の壁紙２９２、およびアプリケーションウィンドウ２８３からなる。
【０１７１】
すなわち、ＰＣ１２の映像信号生成部２５４は、ディスプレイ装置１１からＤＤＣ１３を介して、画面回転がＯＮである（すなわち、ＬＣＤ３１が縦長画面として設置されている）ことを示す画面回転情報を受信すると、画面回転情報に応じて縦長画面用のデスクトップ映像２９１の映像データを生成する。また、映像信号生成部２５４は、生成したデスクトップ映像２９１の映像データに、壁紙データ取得部２５３により取得された縦長画面用の壁紙２９２の映像データと、現在起動中の他のプログラムにから取得されたアプリケーションウィンドウ２８３の映像データを合成する。なお、アプリケーションウィンドウ２８３の映像データは、横長画面でも縦長画面でも同じである。
【０１７２】
そして、映像信号生成部２５４は、ディスプレイ装置１１の表示フォーマットや解像度に応じた映像信号に変換して、ディスプレイ装置１１に送信する。これにより、ディスプレイ装置１１において、画面が９０度回転した場合の縦長画面のディスプレイ部２１ＨのＬＣＤ３１には、縦長画面用に生成された映像２７２が表示される。
【０１７３】
次に、図１１のフローチャートを参照して、ディスプレイ装置１１の画面切り換え制御処理の例を説明する。
【０１７４】
ユーザにより図示せぬ電源ボタンなどが操作され、ディスプレイ装置１１の各部に電源が供給されると、画面回転検出器４３は、ＬＣＤ３１の縦長画面への切り換えを検出したか否か、すなわち、ディスプレイ部２１が物理的に９０度回転され、ＬＣＤ３１が縦長画面として設置されたことを検出したか否かを判定する。
【０１７５】
ユーザによりディスプレイ部２１が、ディスプレイ部２１の略中央部を軸として、ディスプレイ部２１を物理的に時計回り（図５）に９０度回動され、スタンド部２２に埋め込まれたマグネット４１の磁束が通過すると、画面回転検出器４３は、出力電圧を発生する。
【０１７６】
これにより、画面回転検出器４３は、ＬＣＤ３１の縦長画面への切り換えを検出したと判定し、ステップＳ１２に進み、発生した出力電圧を図示せぬ内蔵オペアンプで増幅して、それを、画面回転ＯＮ（１）を示す画面回転信号として、ディスプレイ装置１１の各部（すなわち、マイクロコントローラ１０１、映像回転部１１４、チャンネルマトリクス切換器１３３、および音声出力増幅器１３４）に供給する。
【０１７７】
なお、これに対応して、映像回転部１１４は、図１３を参照して後述する映像信号処理を実行し、チャンネルマトリクス切換器１３３、および音声出力増幅器１３４は、図１２を参照して後述する音声信号処理を実行する。
【０１７８】
マイクロコントローラ１０１は、画面回転信号が供給されると、ステップＳ１３において、通信インタフェース１０４を制御し、画面回転ＯＮ（すなわち、ＬＣＤ３１が縦長画面である）ことを示す画面回転情報を、ＤＤＣ１３を介してＰＣ１２に送信させ、ステップＳ１４に進み、画面回転ＯＮであること（を示す画面回転情報）をメモリ１０２に記憶し、ステップＳ１１に戻り、それ以降の処理を繰り返す。
【０１７９】
これに対応して、ＰＣ１２は、図１５を参照して後述する信号生成処理を実行する。
【０１８０】
一方、縦長画面に設置されたＬＣＤ３１が横長画面になるようにディスプレイ部２１が反時計回り（図５）に回転されたり、または、横長画面に設置されたＬＣＤ３１横長画面のままの場合、すなわち、ＬＣＤ３１が縦長画面として設置されない場合には、スタンド部２２に埋め込まれたマグネット４１の磁束が通過しないので、画面回転検出器４３は、出力電圧を発生しない。
【０１８１】
したがって、画面回転検出器４３は、ステップＳ１１において、ＬＣＤ３１の縦長画面への切り換えを検出していないと判定し、ステップＳ１５に進み、画面回転ＯＦＦ（０）を示す画面回転信号を、ディスプレイ装置１１の各部（すなわち、マイクロコントローラ１０１、映像回転部１１４、チャンネルマトリクス切換器１３３、および音声出力増幅器１３４）に供給する。
【０１８２】
なお、これに対応して、映像回転部１１４は、図１３を参照して後述する映像信号処理を実行し、チャンネルマトリクス切換器１３３、および音声出力増幅器１３４は、図１２を参照して後述する音声信号処理を実行する。
【０１８３】
マイクロコントローラ１０１は、画面回転信号が供給されると、ステップＳ１６において、通信インタフェース１０４を制御し、画面回転ＯＦＦ（すなわち、ＬＣＤ３１が横長画面である）ことを示す画面回転情報を、ＤＤＣ１３を介してＰＣ１２に送信させ、ステップＳ１７に進み、画面回転ＯＦＦであること（を示す画面回転情報）をメモリ１０２に記憶し、ステップＳ１１に戻り、それ以降の処理を繰り返す。
【０１８４】
これに対応して、ＰＣ１２は、図１５を参照して後述する信号生成処理を実行する。
【０１８５】
以上のように、ユーザによるディスプレイ部２１の物理的な回転が電気的に検出され、画面回転ＯＮであるかＯＦＦであるか（すなわち、ＬＣＤ１３が縦長画面として設置されているか、横長画面として設置されているか）がディスプレイ装置１１の各部およびＰＣ１２に供給される。これにより、ディスプレイ装置１１およびＰＣ１２においては、ＬＣＤ１３が設置される画面方向に応じた映像信号および音声信号の制御が実行される。
【０１８６】
次に、図１２のフローチャートを参照して、ディスプレイ装置１１の音声信号処理の例を説明する。
【０１８７】
ディスプレイ装置１１において、図示せぬアンテナは、図示せぬ放送局からの放送信号を受信し、ＲＦ信号として、チューナ１１１に出力し、チューナ１１１は、アンテナからのＲＦ信号の中から、所定の放送局の信号を選択し、そのＲＦ信号を、アナログのＶＩＦ／ＳＩＦ信号、すなわち、映像中間周波数信号と音声中間周波数信号に変換後、ベースバンド信号に復調し、復号器１１２に出力している。そして、復号器１１２は、映像信号と音声信号のベースバンド信号のうち、そのうちの音声信号を復号して、アナログの音声信号をステレオ音声信号切換器１３１に入力している。
【０１８８】
一方、ＰＣ１２により、ＯＳや現在起動中の他のプログラムから得られる音声データが、ディスプレイ装置１１の出力に応じたＰＣ音声信号に変換されて、ＤＤＣ１３および通信インタフェース１０４を介してステレオ音声信号切換器１３１に入力される。
【０１８９】
復号器１１２からのＴＶ音声信号、または、通信インタフェース１０４からのＰＣ音声信号の少なくとも一方のステレオ音声信号が入力されると、ステレオ音声信号切換器１３１は、ステップＳ３１において、入力されるステレオ音声信号のうち、マイクロコントローラ１０１の制御のもと、ユーザによりリモートコントローラなどが操作されることで設定された表示モードに応じたステレオ音声信号を選択し、選択したステレオ音声信号を、ステレオ前置増幅器１３２に出力し、ステップＳ３２に進む。
【０１９０】
ステレオ前置増幅器１３２は、ステレオ音声信号切換器１３１からのステレオ音声信号を入力すると、ステップＳ３２において、入力した左右の音声信号を調整する。すなわち、ステレオ前置増幅器１３２は、右、左に応じた音量調整および音質調整(トーンコントロール、ラウドネス、および消音など)を実行し、調整されたステレオの音声信号（左音声信号および右音声信号）をチャンネルマトリクス切換器１３３に出力し、ステップＳ３３に進む。
【０１９１】
チャンネルマトリクス切換器１３３は、ステレオ前置増幅器１３２から左音声信号および右音声信号が入力されると、ステップＳ３３において、図１１のステップＳ１２またはＳ１５で画面回転検出器４３から供給される画面回転信号に基づいて、ＬＣＤ３１が縦長画面であるか否かを判定する。
【０１９２】
ステップＳ３３において、画面回転信号が、画面回転ＯＮを示しており、ＬＣＤ３１が縦長画面であると判定された場合、チャンネルマトリクス切換器１３３は、ステップＳ３４に進み、横長画面であるＬＣＤ３１に応じて、セレクタ１４１−１および１４１−２の端子を切り換え、ステップＳ３５に進む。
【０１９３】
すなわち、チャンネルマトリクス切換器１３３においては、セレクタ１４１−１が端子ｈ１を選択し、セレクタ１４１−２が端子ｈ２を選択することにより、左音声信号が、音声出力増幅器１３４−３および音声出力増幅器１３４−４に出力され、右音声信号が、音声出力増幅器１３４−１および音声出力増幅器１３４−２に出力される。
【０１９４】
なお、図示は省略するが、音声出力増幅器１３４においてもステップＳ３３と同様の判定がなされて、画面回転信号が画面回転ＯＮを示しており、ＬＣＤ３１が縦長画面であると判定されている。
【０１９５】
したがって、音声出力増幅器１３４は、チャンネルマトリクス切換器１３３から、左音声信号および右音声信号が入力されると、ステップＳ３５において、入力された音声信号を、縦長画面用の増幅率で増幅し、ステップＳ３８において、増幅した音声信号を、対応するスピーカ３２に出力する。
【０１９６】
具体的には、音声出力増幅器１３４−１は、ステップＳ３５において、セレクタ１４１−１を介して入力される右音声信号を、縦長画面上部用の右音声の増幅率で増幅し、ステップＳ３８において、増幅した右音声信号をスピーカ３２−１に出力する。音声出力増幅器１３４−２は、ステップＳ３５において、入力される右音声信号を、縦長画面下部用の右音声の増幅率で増幅し、ステップＳ３８において、増幅した右音声信号をスピーカ３２−２に出力する。
【０１９７】
音声出力増幅器１３４−３は、ステップＳ３５において、セレクタ１４１−２を介して入力される左音声信号を、縦長画面下部用の左音声の増幅率で増幅し、ステップＳ３８において、増幅した左音声信号をスピーカ３２−３に出力する。音声出力増幅器１３４−４は、ステップＳ３５において、入力される左音声信号を、縦長画面上部用の左音声の増幅率で増幅し、ステップＳ３８において、増幅した左音声信号をスピーカ３２−４に出力する。以上により、音声信号処理は終了される。
【０１９８】
これにより、図５を参照して上述したように、縦長画面のディスプレイ部２１Ｈ（ＬＣＤ３１）においては、スピーカ３２−１および３２−２から右音声が出力され、スピーカ３２−１および３２−２の略中間の位置に、スピーカ３２−１および３２−２から出力される音声から、右音声の音場１５２Ｒが生成される。また、スピーカ３２−３および３２−４から左音声が出力され、スピーカ３２−３および３２−４の略中間の位置に、スピーカ３２−３および３２−４から出力される音声から、左音声の音場１５２Ｌが生成される。
【０１９９】
すなわち、図５の縦長画面のディスプレイ部２１Ｈにおいては、音場中心が縦長画面のディスプレイ部２１Ｈの略中央部となるように切り換えられ、調整された増幅率で増幅された音声がスピーカ３２−１乃至３２−４から出力されるので、ユーザに、左音声の音場１５２Ｌおよび右音声の音場１５２Ｒからなるステレオ音声の音場１５２を提供することができる。
【０２００】
一方、ステップＳ３３において、画面回転信号が、画面回転ＯＦＦを示しており、ＬＣＤ３１が横長画面であると判定された場合、チャンネルマトリクス切換器１３３は、ステップＳ３６に進み、横長画面であるＬＣＤ３１に応じて、セレクタ１４１−１および１４１−２の端子を切り換え、ステップＳ３７に進む。
【０２０１】
すなわち、チャンネルマトリクス切換器１３３においては、セレクタ１４１−１が端子ｗ１を選択し、セレクタ１４１−２が端子ｗ２を選択することにより、左音声信号が、音声出力増幅器１３４−１および音声出力増幅器１３４−４に出力され、右音声信号が、音声出力増幅器１３４−２および音声出力増幅器１３４−３に出力される。
【０２０２】
なお、図示は省略するが、音声出力増幅器１３４においてもステップＳ３３と同様の判定がなされて、画面回転信号が画面回転ＯＦＦを示しており、ＬＣＤ３１が横長画面であると判定されている。
【０２０３】
したがって、音声出力増幅器１３４は、チャンネルマトリクス切換器１３３から、左音声信号および右音声信号が入力されると、ステップＳ３７において、入力された音声信号を、横長画面用の増幅率で増幅し、ステップＳ３８において、増幅した音声信号を、対応するスピーカ３２に出力する。
【０２０４】
具体的には、音声出力増幅器１３４−１は、ステップＳ３７において、セレクタ１４１−１を介して入力される左音声信号を、横長画面上部用の左音声の増幅率で増幅し、ステップＳ３８において、増幅した左音声信号をスピーカ３２−１に出力する。音声出力増幅器１３４−２は、ステップＳ３５において、入力される右音声信号を、横長画面上部用の右音声の増幅率で増幅し、ステップＳ３８において、増幅した右音声信号をスピーカ３２−２に出力する。
【０２０５】
音声出力増幅器１３４−３は、ステップＳ３７において、セレクタ１４１−２を介して入力される右音声信号を、横長画面下部用の右音声の増幅率で増幅し、ステップＳ３８において、増幅した右音声信号をスピーカ３２−３に出力する。音声出力増幅器１３４−４は、ステップＳ３７において、入力される左音声信号を、横長画面下部用の左音声の増幅率で増幅し、ステップＳ３８において、増幅した左音声信号をスピーカ３２−４に出力する。以上により、音声信号処理は終了される。
【０２０６】
これにより、図５を参照して上述したように、横長画面のディスプレイ部２１Ｗ（ＬＣＤ３１）においては、スピーカ３２−２および３２−３から右音声が出力され、スピーカ３２−２および３２−３の略中間の位置に、スピーカ３２−２および３２−３から出力される音声から、右音声の音場１５１Ｒが生成される。また、スピーカ３２−１および３２−４から左音声が出力され、スピーカ３２−１および３２−４の略中間の位置に、スピーカ３２−１および３２−４から出力される音声から、左音声の音場１５１Ｌが生成される。
【０２０７】
すなわち、図５の横長画面のディスプレイ部２１Ｗにおいては、音場中心が横長画面のディスプレイ部２１Ｗの略中央部となるように切り換えられ、調整された増幅率で増幅された音声がスピーカ３２−１乃至３２−４から出力されるので、ユーザに、左音声の音場１５１Ｌおよび右音声の音場１５１Ｒからなるステレオ音声の音場１５１を提供することができる。
【０２０８】
以上のように、ディスプレイ部２１が図５の時計回りに９０度回転され、ＬＣＤ３１の画面方向が横長画面から縦長画面（あるいは逆に）設置が変更された場合であっても、ディスプレイ部２１において対角に位置する１対のスピーカ３２（スピーカ３２−１と３２−３）から出力させる音声を切り換えるだけで簡単に、ユーザにステレオ音声を提供することができる。
【０２０９】
また、音声出力増幅器１３４に横長画面用と縦長画面用の増幅率を予め設定しておき、ディスプレイ部２１の回転に応じて切り換えるようにしたので、ディスプレイ部２１のＬＣＤ３１が縦長画面あるいは横長画面に配置されたとしても、ＬＣＤ３１の配置方向に応じて適切な位置にステレオ音場を生成することができる。
【０２１０】
これにより、ユーザに、心地よいステレオ音場を提供することができる。
【０２１１】
次に、図１３のフローチャートを参照して、ディスプレイ装置１１の映像信号処理の例を説明する。なお、図１３においては、ディスプレイ装置１１において、ＴＶ映像信号の映像が表示され、ＴＶ音声信号の音声が出力されるＴＶ映像表示モードが設定されている場合を説明する。
【０２１２】
ディスプレイ装置１１において、図示せぬアンテナは、図示せぬ放送局からの放送信号を受信し、ＲＦ信号として、チューナ１１１に出力し、チューナ１１１は、アンテナからのＲＦ信号の中から、所定の放送局の信号を選択し、そのＲＦ信号を、アナログのＶＩＦ／ＳＩＦ信号、すなわち、映像中間周波数信号と音声中間周波数信号に変換後、ベースバンド信号に復調し、復号器１１２に出力している。
【０２１３】
復号器１１２は、映像信号と音声信号のベースバンド信号のうち、そのうちの映像信号を復号して、アナログの映像信号を映像信号フォーマット変換部１１３に出力してくる。
【０２１４】
映像信号フォーマット変換部１１３は、復号器１１２からアナログの映像信号が入力されると、ステップＳ５１において、アナログの映像信号を、デジタルの映像信号に変換する。すなわち、映像信号フォーマット変換部１１３は、復号器１１２からの４８０ｉのアナログＹＣ信号を、1024×768ｐのデジタルＹＣｂＣｒ信号(輝度信号・色差信号)に変換し、映像回転部１１４に出力する。
【０２１５】
映像回転部１１４は、映像信号フォーマット変換部１１３からデジタルの映像信号が入力されると、一旦、フレームメモリ１１５に格納し、ステップＳ５２において、図１１のステップＳ１２またはＳ１５で画面回転検出器４３から供給される画面回転信号に基づいて、ＬＣＤ３１が縦長画面であるか否かを判定する。
【０２１６】
ステップＳ５２において、画面回転信号が、画面回転ＯＮを示しており、ＬＣＤ３１が縦長画面であると判定された場合、映像回転部１１４は、ステップＳ５３に進み、図６を参照して上述したように、フレームメモリ１１５から映像信号を、ディスプレイ部２１の回転方向と逆方向に、９０度回転して読み出し、768×1024のＴＶ映像信号を映像信号切換器１１６に出力し、ステップＳ５４に進む。
【０２１７】
図１３の例の場合、ＴＶ映像表示モードであるので、映像信号切換器１１６からのＴＶ映像信号は、縮小倍率部１１７−１を介して、デジタルフォーマット変換部１１８に入力される。すなわち、映像信号切換器１１６において、ＴＶ映像信号が選択されて、縮小倍率部１１７−１に出力されるが、子画面表示ではないので、縮小倍率部１１７−１においては、ＴＶ映像信号は、そのまま（768×1024のまま）、デジタルフォーマット変換部１１８に出力される。
【０２１８】
デジタルフォーマット変換部１１８は、縮小倍率部１１７−１からＴＶ映像信号が入力されると、ステップＳ５４において、入力したＴＶ映像信号（デジタルＹＣｂＣｒ信号）の画質を調整し、その後、デジタルＲＧＢ信号に変換し、変換したＴＶ映像信号（デジタルＲＧＢ信号）を拡大倍率部１１９−１に出力し、ステップＳ５５に進む。
【０２１９】
拡大倍率部１１９−１は、デジタルフォーマット変換部１１８からのＴＶ映像信号を入力すると、ステップＳ５５において、９０度回転された768×1024のＴＶ映像信号を、ＬＣＤ３１のパネル解像度サイズ（1680×1050）に拡大して出力し、ステップＳ５９に進む。
【０２２０】
ただし、９０度回転された映像信号は、ＬＣＤ３１のパネル解像度サイズ（1680×1050）と縦横の比率が異なる。したがって、この場合、拡大倍率部１１９−１は、768×1024のＴＶ映像信号を、ＬＣＤ３１の短辺(1050）に合わせたサイズ（786×1050）に拡大し、残りの情報のない部分には、黒い映像信号を付加して、ＬＣＤ３１のパネル解像度サイズ（1680×1050）の映像信号として、信号混合部１２０に出力する。
【０２２１】
一方、ステップＳ５２において、画面回転信号が、画面回転ＯＦＦを示しており、ＬＣＤ３１が横長画面であると判定された場合、映像回転部１１４は、ステップＳ５６に進み、フレームメモリ１１５から映像信号を、そのまま読み出し、1024×768のＴＶ映像信号を映像信号切換器１１６に出力し、ステップＳ５７に進む。
【０２２２】
図１３の例の場合、ＴＶ映像表示モードであるので、映像信号切換器１１６からのＴＶ映像信号は、映像信号切換器１１６および縮小倍率部１１７−１を介して、デジタルフォーマット変換部１１８に入力される。
【０２２３】
デジタルフォーマット変換部１１８は、縮小倍率部１１７−１からＴＶ映像信号が入力されると、ステップＳ５７において、入力したＴＶ映像信号（デジタルＹＣｂＣｒ信号）の画質を調整し、その後、デジタルＲＧＢ信号に変換し、変換したＴＶ映像信号（デジタルＲＧＢ信号）を拡大倍率部１１９−１に出力し、ステップＳ５８に進む。
【０２２４】
拡大倍率部１１９−１は、デジタルフォーマット変換部１１８からのＴＶ映像信号を入力すると、ステップＳ５８において、1024×768のＴＶ映像信号を、ＬＣＤ３１のパネル解像度サイズ（1680×1050）に拡大して、ＬＣＤ３１のパネル解像度サイズ（1680×1050）の映像信号として、信号混合部１２０に出力し、ステップＳ５９に進む。
【０２２５】
信号混合部１２０は、拡大倍率部１１９−１からのＴＶ映像信号を入力すると、ステップＳ５９において、入力された映像信号を、ＴＴＬ方式の信号に変換して、デジタルフォーマット変換部１２１に出力し、ステップＳ６０に進む。
【０２２６】
デジタルフォーマット変換部１２１は、ステップＳ６０において、信号混合部１２０から入力されるＴＴＬ方式の映像信号を、LVDS、TMDS、または、RSDS(登録商標）などのＬＣＤ３１が対応するフォーマットに変換して、変換した映像信号をＬＣＤ３１に出力し、映像信号処理を終了する。
【０２２７】
これにより、ＬＣＤ３１には、チューナ１１１により受信された放送信号のＴＶ映像信号に対応する映像が、図１４に示されるように表示される。
【０２２８】
図１４は、ディスプレイ部２１のＬＣＤ３１に表示されるＴＶ映像信号に対応する映像の表示例を示している。図１４の例においては、図５を参照して説明した横長画面のディスプレイ部２１Ｗと、縦長画面のディスプレイ部２１Ｈが示されており、図５と対応する部分には対応する符号が付してあり、その説明は繰り返しになるので省略する。
【０２２９】
図１４の例の横長画面のディスプレイ部２１ＷのＬＣＤ３１には、チューナ１１１により受信され、図１３のステップＳ５２においてＬＣＤ３１が横長画面であると判定された場合のＴＶ映像信号に対応する映像３１１が表示されている。
【０２３０】
映像３１１は、横長画面のディスプレイ部２１ＷのＬＣＤ３１のパネル解像度サイズに応じたサイズで、図中上方向を上に正立した状態で表示されている。
【０２３１】
すなわち、図１３のステップＳ５２においてＬＣＤ３１が横長画面であると判定された場合、ＴＶ映像信号は、映像回転部１１４によりフレームメモリ１５５からそのままのサイズ（1024×768）で読み出され、映像信号切換器１１６、縮小倍率部１１７−１、デジタルフォーマット変換部１１８を介して、拡大倍率部１１９−１に供給される。
【０２３２】
そして、1024×768のＴＶ映像信号は、拡大倍率部１１９−１により、ＬＣＤ３１のパネル解像度サイズ（1680×1050）に拡大されるので、その結果、ＬＣＤ３１のパネル解像度サイズに応じたサイズの映像３１１が、横長画面のディスプレイ部２１ＷのＬＣＤ３１に表示される。
【０２３３】
一方、縦長画面のディスプレイ部２１ＨのＬＣＤ３１には、図１３のステップＳ５２においてＬＣＤ３１が縦長画面であると判定された場合のＴＶ映像信号に対応する映像３１２が表示されている。
【０２３４】
映像３１２は、縦長画面のディスプレイ部２１ＨのＬＣＤ３１の図中横方向（すなわち、短辺）に応じたサイズで、図中上方向を上に正立した状態で表示されており、映像３１２が表示されていないＬＣＤ３１には、黒い映像３１３が表示されている。
【０２３５】
すなわち、図１３のステップＳ５２においてＬＣＤ３１が縦長画面であると判定された場合、ＴＶ映像信号は、映像回転部１１４によりフレームメモリ１５５から９０度回転されたサイズ（768×1024）で読み出され、映像信号切換器１１６、縮小倍率部１１７−１、デジタルフォーマット変換部１１８を介して、拡大倍率部１１９−１に供給される。
【０２３６】
そして、768×1024のＴＶ映像信号は、拡大倍率部１１９−１により、768×1024のＴＶ映像信号が、ＬＣＤ３１の短辺に合わせたサイズ（786×1050）に拡大され、残りの情報のない部分には、黒い映像信号が付加されて、ＬＣＤ３１のパネル解像度サイズ（1680×1050）の映像信号として出力されるので、その結果、ＬＣＤ３１の短辺に合わせたサイズに応じたサイズの映像３１２が、縦長画面のディスプレイ部２１ＨのＬＣＤ３１に表示され、映像３１２以外のＬＣＤ３１には、黒い映像３１３が表示される。
【０２３７】
以上のように、ディスプレイ部２１の回転（ＬＣＤ３１が設置される画面方向）に応じて、放送局から受信される放送信号の映像信号の走査線の向きを回転させて読み出すようにしたので、ディスプレイ部２１が時計回りに９０度回転され、ＬＣＤ３１の画面方向が横長画面から縦長画面（あるいは逆に）設置が変更された場合であっても、ＬＣＤ３１の映像が、常に設置面を下として正立した状態で表示されるようにすることができる。
【０２３８】
また、ＴＶ映像モードのように、映像信号がＬＣＤ３１のフル画面に表示される場合、ディスプレイ部２１の回転（ＬＣＤ３１が設置される画面方向）に合わせて拡大するようにしたので、ＬＣＤ３１の画面方向が横長画面から縦長画面（あるいは逆に）設置が変更された場合であっても、ＬＣＤ３１のサイズ外に、映像が切れてしまうことがなく、ユーザに、快適な映像の視聴環境を提供することができる。
【０２３９】
次に、図１５のフローチャートを参照して、ＰＣ１２の信号生成処理の例を説明する。
【０２４０】
ユーザにより図示せぬ電源ボタンが操作されることにより、ＰＣ１２の各部に電源が投入される。電源が投入されると、ＣＰＵ２１１は、記憶部２１８に記憶される所定のプログラム（例えば、ＯＳや信号生成処理プログラム）を、ＲＡＭ２１３にロードし、実行する。これにより、図９の機能ブロックが実現される。
【０２４１】
信号生成制御部２５１は、起動直後、ディスプレイ情報取得部２５２を制御し、ＤＤＣ１３を介して、ディスプレイ装置１１にディスプレイ装置情報を要求させる。これに対応して、ディスプレイ装置１１のマイクロコントローラ１０１は、図１１のステップＳ１４またはＳ１７においてメモリ１０２に記録しておいた画面回転情報が含まれるディスプレイ装置情報を送信してくる。
【０２４２】
また、ＰＣ１２が起動中であれば、上述した図１１のステップＳ１３またはステップＳ１６において、ディスプレイ装置１１から、ＤＤＣ１３を介して、画面回転情報が送信されてくる。
【０２４３】
ディスプレイ装置１１からのディスプレイ装置情報が出力インタフェース２１７に受信されると、ディスプレイ情報取得部２５２は、ステップＳ８１において、出力インタフェース２１７から、ディスプレイ装置情報を取得し、信号生成制御部２５１に供給し、ステップＳ８２に進む。
【０２４４】
信号生成制御部２５１は、ステップＳ８２において、ディスプレイ装置情報の画面回転情報に基づいて、ディスプレイ装置１１のＬＣＤ３１が縦長画面であるか否かを判定し、ディスプレイ装置１１のＬＣＤ３１が縦長画面であると判定した場合、ステップＳ８３に進み、壁紙データ取得部２５３に、縦長画面用の壁紙データを取得させる。
【０２４５】
すなわち、壁紙データ取得部２５３は、ステップＳ８３において、デスクトップにおける壁紙として設定されている壁紙（画像）データとして、縦長画面用の壁紙データを、記憶部２１８などから取得し、取得した壁紙データを映像信号生成部２５４に出力し、ステップＳ８４に進む。
【０２４６】
映像信号生成部２５４は、ステップＳ８４において、信号生成制御部２５１からの制御のもと、縦長画面用の映像信号を生成し、ステップＳ８７に進む。
【０２４７】
具体的には、映像信号生成部２５４は、縦長画面用のデスクトップ画面データを生成し、生成したデスクトップ画面データに、壁紙データ取得部２５３により取得された壁紙データや、現在起動中の他のプログラムにより生成される映像データを合成する。そして、映像信号生成部２５４は、映像データを、ディスプレイ装置１１の表示フォーマットや解像度に応じた映像信号（例えば、VGAやSXGA+サイズのデジタルＲＧＢ信号）に変換して、信号送信部２５６に出力する。
【０２４８】
一方、ディスプレイ装置１１のＬＣＤ３１が縦長画面ではない、すなわち、横長画面であると判定された場合、信号生成制御部２５１は、ステップＳ８５に進み、壁紙データ取得部２５３に、横長画面用の壁紙データを取得させる。
【０２４９】
すなわち、壁紙データ取得部２５３は、ステップＳ８５において、デスクトップにおける壁紙として設定されている壁紙（画像）データとして、横長画面用の壁紙データを、記憶部２１８などから取得し、取得した壁紙データを映像信号生成部２５４に出力し、ステップＳ８６に進む。
【０２５０】
映像信号生成部２５４は、ステップＳ８６において、信号生成制御部２５１からの制御のもと、横長画面用の映像信号を生成し、ステップＳ８７に進む。
【０２５１】
具体的には、映像信号生成部２５４は、横長画面用のデスクトップ画面データを生成し、生成したデスクトップ画面データに、壁紙データ取得部２５３により取得された壁紙データや、現在起動中の他のプログラムにより生成される映像データを合成する。そして、映像信号生成部２５４は、映像データを、ディスプレイ装置１１の表示フォーマットや解像度に応じた映像信号に変換して、信号送信部２５６に出力する。
【０２５２】
映像信号生成部２５４から映像信号が入力されると、信号送信部２５６は、ステップＳ８７において、必要に応じて、音声信号生成部２５５から入力される音声信号とともに、出力インタフェース２１７およびＤＤＣ１３を介して、ディスプレイ装置１１に送信し、信号生成処理を終了する。
【０２５３】
これにより、ディスプレイ装置１１においては、次に図１６を参照して後述するように、ＰＣ１２からの映像信号に従って、図１０の横長画面のディスプレイ部２１Ｗおよび縦長画面のディスプレイ部２１ＨのＬＣＤ３１に映像が正立して表示され、図１２を参照して上述したように、ＰＣ１２からの音声信号に従って、所定の音声がスピーカ３２−１乃至３２−４から出力される。
【０２５４】
次に、図１６のフローチャートを参照して、ディスプレイ装置１１の映像信号処理の例を説明する。なお、図１６においては、ディスプレイ装置１１において、ＰＣ映像信号の映像が表示され、ＰＣ音声信号の音声が出力されるＰＣ映像表示モードが設定されている場合を説明する。
【０２５５】
図１５のステップＳ８７において、ＰＣ１２より、画面回転情報（ＬＣＤ３１の画面方向）に応じたＰＣ映像信号（例えば、640×480（VGA）サイズのデジタルＲＧＢ信号）が送信されてくる。
【０２５６】
映像信号切換器１１６は、ステップＳ１１１において、通信インタフェース１０４を介して、画面回転情報に応じたＰＣ映像信号を受信し、ＰＣ映像信号を縮小倍率部１１７−２に出力し、ステップＳ１１２に進む。
【０２５７】
図１６の例の場合、ＰＣ映像表示モードであるので、映像信号切換器１１６からのＴＶ映像信号は、縮小倍率部１１７−２を介して、拡大倍率部１１９−２に入力される。すなわち、映像信号切換器１１６において、ＰＣ映像信号が選択されて、縮小倍率部１１７−２に出力されるが、子画面表示ではないので、縮小倍率部１１７−２においては、ＰＣ映像信号は、そのまま（640×480のまま）、拡大倍率部１１９−２に出力される。
【０２５８】
拡大倍率部１１９−２は、ステップＳ１１２において、640×480サイズのＰＣ映像信号を、ＬＣＤ３１のパネル解像度（1680×1050）に拡大し、1680×1050サイズの映像信号として、信号混合部１２０に出力し、ステップＳ１１３に進む。
【０２５９】
信号混合部１２０は、拡大倍率部１１９−２からのＰＣ映像信号を入力すると、ステップＳ１１３において、入力された映像信号を、ＴＴＬ方式の信号に変換して、デジタルフォーマット変換部１２１に出力し、ステップＳ１１４に進む。
【０２６０】
デジタルフォーマット変換部１２１は、ステップＳ１１４において、信号混合部１２０から入力されるＴＴＬ方式の映像信号を、LVDS、TMDS、または、RSDS(登録商標）などのＬＣＤ３１が対応するフォーマットに変換して、変換した映像信号をＬＣＤ３１に出力し、映像信号処理を終了する。
【０２６１】
以上のように、ディスプレイ部２１がデフォルトの状態でＬＣＤ３１が横長画面として設置されても、ディスプレイ部２１がデフォルトの状態から９０度回転され、ＬＣＤ３１が縦長画面として設置されても、図１０を参照して上述したように、ＬＣＤ３１には、ＰＣ１２により画面回転情報に応じて生成され送信されたＰＣ映像信号に対応する映像が正立状態で表示される。
【０２６２】
次に、図１７のフローチャートを参照して、ディスプレイ装置１１の映像信号処理の例を説明する。なお、図１７においては、ディスプレイ装置１１において、ＰＣ映像信号の映像上に、ＴＶの映像信号の映像が子画面として表示されるＷ画面表示モードが設定されている場合を説明する。
【０２６３】
ディスプレイ装置１１において、図示せぬアンテナは、図示せぬ放送局からの放送信号を受信し、ＲＦ信号として、チューナ１１１に出力し、チューナ１１１は、アンテナからのＲＦ信号の中から、所定の放送局の信号を選択し、そのＲＦ信号を、アナログのＶＩＦ／ＳＩＦ信号、すなわち、映像中間周波数信号と音声中間周波数信号に変換後、ベースバンド信号に復調し、復号器１１２に出力している。
【０２６４】
復号器１１２は、映像信号と音声信号のベースバンド信号のうち、そのうちの映像信号を復号して、アナログのＴＶ映像信号を映像信号フォーマット変換部１１３に出力してくる。
【０２６５】
映像信号フォーマット変換部１１３は、復号器１１２からアナログのＴＶ映像信号が入力されると、ステップＳ１５１において、アナログのＴＶ映像信号を、デジタルの映像信号に変換する。すなわち、映像信号フォーマット変換部１１３は、復号器１１２からの４８０ｉのアナログＹＣ信号を、1024×768ｐのデジタルＹＣｂＣｒ信号に変換し、映像回転部１１４に出力する。
【０２６６】
映像回転部１１４は、映像信号フォーマット変換部１１３からデジタルの映像信号が入力されると、一旦、フレームメモリ１１５に格納し、ステップＳ１５２において、図１１のステップＳ１２またはＳ１５で画面回転検出器４３から供給される画面回転信号に基づいて、ＬＣＤ３１が縦長画面であるか否かを判定する。
【０２６７】
ステップＳ１５２において、画面回転信号が、画面回転ＯＮを示しており、ＬＣＤ３１が縦長画面であると判定された場合、映像回転部１１４は、ステップＳ１５３に進み、図６を参照して上述したように、フレームメモリ１１５から映像信号を、９０度回転して読み出し、768×1024のＴＶ映像信号を映像信号切換器１１６に出力し、ステップＳ１５４に進む。
【０２６８】
映像信号切換器１１６は、ステップＳ１５４において、映像回転部１１４からのＴＶ映像信号を入力するとともに、通信インタフェース１０４を介して、縦長画面用の（すなわち、画面回転ＯＮを示す画面回転情報に応じた）ＰＣ映像信号（例えば、640×480（VGA）サイズのデジタルＲＧＢ信号）を受信する。映像信号切換器１１６は、ＴＶ映像信号を縮小倍率部１１７−１に供給し、ＰＣ映像信号を、縮小倍率部１１７−２を介して、拡大倍率部１１９−２に入力し、ステップＳ１５７に進む。
【０２６９】
一方、ステップＳ１５２において、画面回転信号が、画面回転ＯＦＦを示しており、ＬＣＤ３１が横長画面であると判定された場合、映像回転部１１４は、ステップＳ１５５に進み、フレームメモリ１１５から映像信号を、そのまま読み出し、1024×768のＴＶ映像信号を映像信号切換器１１６に出力し、ステップＳ１５７に進む。
【０２７０】
映像信号切換器１１６は、ステップＳ１５７において、映像回転部１１４からのＴＶ映像信号を入力するとともに、通信インタフェース１０４を介して、横長画面用の（すなわち、画面回転ＯＦＦを示す画面回転情報に応じた）ＰＣ映像信号を受信する。映像信号切換器１１６は、ＴＶ映像信号を縮小倍率部１１７−１に供給し、ＰＣ映像信号を、縮小倍率部１１７−２を介して、拡大倍率部１１９−２に入力し、ステップＳ１５７に進む。
【０２７１】
拡大倍率部１１９−２は、縮小倍率部１１７−２からＰＣ映像信号が入力されると、ステップＳ１５７において、640×480サイズのＰＣ映像信号を、ＬＣＤ３１のパネル解像度（1680×1050）（すなわち、メイン画面のサイズ）に拡大し、1680×1050サイズの映像信号として、信号混合部１２０に出力し、ステップＳ１５８に進む。
【０２７２】
縮小倍率部１１７−１は、映像信号切換器１１６からＴＶ映像信号が入力されると、ステップＳ１５８において、表示モードがＷ画面表示モードであり、ＴＶ映像信号が子画面に表示されるので、映像信号切換器１１６から入力されるＴＶ映像信号を、ディスプレイ装置１１において、画面回転ＯＮやＯＦＦに応じて指定されている子画面のサイズに縮小し、デジタルフォーマット変換部１１８に出力し、ステップＳ１５９に進む。
【０２７３】
具体的には、画面回転がＯＮではない（画面回転がＯＦＦである）場合、1024×768の映像信号が入力されるので、縮小倍率部１１７−１は、子画面のサイズ（320×240）に縮小して出力する。また、画面回転がＯＮである場合、768×1024の映像信号が入力されるので、縮小倍率部１１７−１は、子画面のサイズ（240×320）に縮小して出力する。
【０２７４】
デジタルフォーマット変換部１１８は、縮小倍率部１１７−１からＴＶ映像信号が入力されると、ステップＳ１５９において、入力したＴＶ映像信号（デジタルＹＣｂＣｒ信号）の画質を調整し、その後、デジタルＲＧＢ信号に変換し、変換したＴＶ映像信号（デジタルＲＧＢ信号）を拡大倍率部１１９−１に出力し、ステップＳ１６０に進む。
【０２７５】
図１７の例の場合、ＴＶ映像信号は子画面に表示されるので、拡大倍率部１１９−１に入力されたＴＶ映像信号はそのまま信号混合部１２０に出力される。
【０２７６】
信号混合部１２０は、デジタルフォーマット変換部１１８からのＴＶ映像信号、および映像信号切換器１１６からのＰＣ映像信号を入力すると、ステップＳ１６０において、メイン画面のＰＣ映像信号（1680×1050）に、子画面のＴＶ映像信号（320×240、あるいは240×320）を重畳して、ＴＴＬ方式の信号に変換して、デジタルフォーマット変換部１２１に出力し、ステップＳ１６１に進む。
【０２７７】
デジタルフォーマット変換部１２１は、ステップＳ１６１において、信号混合部１２０から入力されるＴＴＬ方式の映像信号を、LVDS、TMDS、または、RSDS(登録商標）などのＬＣＤ３１が対応するフォーマットに変換して、変換した映像信号をＬＣＤ３１に出力し、映像信号処理を終了する。
【０２７８】
これにより、ＬＣＤ３１には、ＰＣ映像信号およびＴＶ映像信号に対応する映像が、図１８に示されるように表示される。
【０２７９】
図１８は、ディスプレイ部２１のＬＣＤ３１に表示されるＰＣ映像信号およびＴＶ映像信号に対応する映像の表示例を示している。
【０２８０】
図１８の例においては、図１０を参照して上述した、ＬＣＤ３１にＰＣ映像信号に対応する映像２７２が表示された縦長画面のディスプレイ部２１Ｈが示されており、図１０と対応する部分には対応する符号が付してあり、その説明は繰り返しになるので省略する。
【０２８１】
すなわち、縦長画面のディスプレイ部２１ＨのＬＣＤ３１には、Ｗ画面表示モードのメイン画面として、ＬＣＤ３１のパネル解像度に応じたサイズで（すなわり、ＬＣＤ３１全体に）、ＰＣ１２において生成された映像信号に対応する、アイコンやメニューバーなどの縦長画面用のデスクトップ映像２９１、桜模様の縦長画面用の壁紙２９２、およびアプリケーションウィンドウ２８３からなる映像２７２が正立した状態で表示されている。
【０２８２】
そして、図１８の例の場合、映像２７２に重畳されるＷ画面表示モードの子画面３３１には、映像回転部１１４により、フレームメモリ１１５から９０度回転して768×1024の映像信号として読み出され、縮小倍率部１１７−１により、子画面のサイズ（240×320）に縮小されたＴＶ映像信号に対応する映像３４１が正立した状態で表示されている。
【０２８３】
なお、説明は省略するが、縦長画面のディスプレイ部２１Ｗについても同様に、メイン画面には、ＰＣ映像信号に対応する映像が正立して表示され、子画面には、ＴＶ映像信号に対応する映像が正立して表示される。
【０２８４】
また、図１７および図１８の例においては、メイン画面にＰＣ映像信号に対応する映像を表示し、子画面にＴＶ映像信号に対応する映像を表示する場合を説明したが、もちろん、メイン画面にＴＶ映像信号に対応する映像を表示し、子画面にＰＣ映像信号に対応する映像を表示することも可能である。
【０２８５】
以上のように、ディスプレイ部２１の回転（ＬＣＤ３１が設置される画面方向）に応じて、放送局から受信される放送信号の映像信号の走査線の向きを回転させて読み出すようにし、さらに、ＰＣ１２に画面回転情報を送信して、ＰＣ１２からディスプレイ部２１の回転に応じたＰＣ映像信号を生成させるようにしたので、ディスプレイ部２１が時計回り（または反時計回り）に９０度回転され、ＬＣＤ３１の画面方向が横長画面から縦長画面（あるいは逆に）設置が変更された場合であっても、ＴＶ映像信号およびＰＣ映像信号に対応して表示されるＬＣＤ３１の映像は、両方とも、常に設置面を下として正立した状態で表示されるようにすることができる。
【０２８６】
また、本発明のディスプレイ装置１１によれば、画面設置方向が変更されても、簡単に、リアルなステレオ音場（仮想的なスピーカ位置）を再現することができ、ユーザに、リアルなステレオ音場を提供することができる。また、本発明のディスプレイ装置１１によれば、画面設置方向が変更されても、簡単に、画面に正立した映像を表示させることができる。
【０２８７】
すなわち、本発明のディスプレイ装置１１によれば、画面設置方向が変更されても、ユーザに対して、映像に関してもおよび音声に関しても快適な視聴環境を提供することができる。
【０２８８】
なお、上記説明したディスプレイ装置１１においては、各スピーカ３２−１乃至３２−４をディスプレイ部２１の４隅に設けるようにしたが、音声出力増幅器１３４の増幅率を、所望の位置（例えば、ＬＣＤ３１の中央部）に音場が生成されるように設定すればよいので、ＬＣＤ３１の中央部に限らず、所定の位置に対して、左右対称、かつ上下対称に配置して設けられてもよい（すなわち、中央部から対称な位置に配置されていなくてもよい）。
【０２８９】
また、ディスプレイ装置１１において４つのスピーカを用いて説明したが、４つ以上の偶数個であれば、６つや８つで構成されていてもよい。また、ステレオ音声信号として説明したが、本発明は、音声信号のチャンネル数が多い場合であっても同様に適用することができる。
【０２９０】
さらに、上述したディスプレイ装置１１においては、チャンネルマトリクス切換器１３３の後段の音声出力増幅器１３４において、音声信号の増幅率を調整するようにしたが、チャンネルマトリクス切換器１３３の前段のステレオ前置増幅器１３２などで音声信号の増幅率を調整するようにしてもよく、その調整方法も上述した方法に限定されない。
【０２９１】
なお、上記説明においては、チューナを内蔵したディスプレイ装置１１をＰＣ１２の表示部として用いる例を説明したが、本発明は、例えば、表示部と少なくとも４つのスピーカを有する装置であれば、放送信号受信装置、パーソナルコンピュータ、携帯電話機、その他のＰＤＡ(Personal Digital Assistant)機器や、ＡＶ(Audio Visual)機器や家電（家庭用電化製品）などのＣＥ（Consumer Electronics）機器などに適用することができる。
【０２９２】
上述した一連の処理は、ハードウェアにより実行させることもできるが、ソフトウェアにより実行させることもできる。この場合、例えば、図１のディスプレイ装置１１は、図１９に示されるようなパーソナルコンピュータ４０１により構成される。
【０２９３】
図１９において、ＣＰＵ（Central Processing Unit）４１１は、ＲＯＭ(Read Only Memory) ４１２に記憶されているプログラム、または、記憶部４１８からＲＡＭ（Random Access Memory）４１３にロードされたプログラムに従って各種の処理を実行する。ＲＡＭ４１３にはまた、ＣＰＵ４１１が各種の処理を実行する上において必要なデータなどが適宜記憶される。
【０２９４】
ＣＰＵ４１１、ＲＯＭ４１２、およびＲＡＭ４１３は、バス４１４を介して相互に接続されている。このバス４１４にはまた、入出力インタフェース４１５も接続されている。
【０２９５】
入出力インタフェース４１５には、キーボード、マウスなどよりなる入力部４１６、ＣＲＴ(Cathode Ray Tube)，ＬＣＤ（Liquid Crystal Display）などよりなるディスプレイ、並びにスピーカなどよりなる出力部２１７、ハードディスクなどより構成される記憶部４１８、モデム、ターミナルアダプタなどより構成される通信部４１９が接続されている。通信部４１９は、無線などのネットワークを介しての通信処理を行う。
【０２９６】
入出力インタフェース４１５にはまた、必要に応じてドライブ４２０が接続され、磁気ディスク４２１、光ディスク４２２、光磁気ディスク４２３、或いは半導体メモリ４２４などが適宜装着され、それから読み出されたコンピュータプログラムが、必要に応じて記憶部４１８にインストールされる。
【０２９７】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２９８】
なお、このプログラムは、全体として上述した一連の処理を実行できれば、その形態は特に限定されない。例えば、上述した各ブロックのそれぞれに対応するモジュールのそれぞれからなるモジュール構成とされてもよいし、幾つかのブロックの機能の一部または全部が組み合わされたモジュール、若しくは、ブロックの機能が分割されたモジュールからなるモジュール構成とされてもよい。或いは、単に１つのアルゴリズムを有するプログラムでもよい。
【０２９９】
このプログラムが記録される記録媒体は、図１９に示されるように、装置本体とは別に、ユーザにプログラムを提供するために配布される、プログラムが記録されている磁気ディスク４２１（フレキシブルディスクを含む）、光ディスク４２２（CD-ROM(Compact Disk-Read Only Memory)，ＤＶＤ(Digital Versatile Disk)を含む）、光磁気ディスク４２３（MD(Mini-Disk)（商標）を含む）、もしくは半導体メモリ４２４などよりなるパッケージメディアにより構成されるだけでなく、装置本体に予め組み込まれた状態でユーザに提供される、プログラムが記録されているＲＯＭ４１２や、記憶部４１８に含まれるハードディスクなどで構成される。
【０３００】
ここで、本明細書において、コンピュータに各種の処理を行わせるためのプログラムを記述する処理ステップは、必ずしもフローチャートとして記載された順序に沿って時系列に処理する必要はなく、並列的あるいは個別に実行される処理（例えば、並列処理あるいはオブジェクトによる処理）も含むものである。
【０３０１】
また、プログラムは、１のコンピュータにより処理されるものであっても良いし、複数のコンピュータによって分散処理されるものであってもよい。さらに、プログラムは、遠方のコンピュータに転送されて実行されるものであってもよい。
【０３０２】
なお、本明細書において、システムとは、複数の装置により構成される装置全体を表すものである。
【図面の簡単な説明】
【０３０３】
【図１】本発明の表示システムの構成例を示す図である。
【図２】図１のディスプレイ装置の外観を示す背面図である。
【図３】図１のディスプレイ装置の内部の構成例を示すブロック図である。
【図４】図３のチャンネルマトリクス切換器および音声出力増幅器の詳細な構成例を示すブロック図である。
【図５】図３のチャンネルマトリクス切換器および音声出力増幅器の処理を説明する図である。
【図６】図４の映像回転部における映像信号の処理を説明する図である。
【図７】図４の映像回転部における映像信号の処理を説明する図である。
【図８】図１のＰＣの構成例を示すブロック図である。
【図９】図１のＰＣの機能構成例を示すブロック図である。
【図１０】図１のディスプレイ部のＬＣＤに表示される映像の表示例を示す図である。
【図１１】図１のディスプレイ装置の画面切り換え制御処理の例を説明するフローチャートである。
【図１２】図１のディスプレイ装置の音声信号処理の例を説明するフローチャートである。
【図１３】図１のディスプレイ装置の映像信号処理の例を説明するフローチャートである。
【図１４】図１のディスプレイ部のＬＣＤに表示される映像の他の表示例を示す図である。
【図１５】図１のＰＣの信号生成処理の例を説明するフローチャートである。
【図１６】図１のディスプレイ装置の映像信号処理の他の例を説明するフローチャートである。
【図１７】図１のディスプレイ装置の映像信号処理のさらに他の例を説明するフローチャートである。
【図１８】図１のディスプレイ部のＬＣＤに表示される映像のさらに他の表示例を示す図である。
【図１９】本発明を適用したパーソナルコンピュータの構成例を示すブロック図である。
【符号の説明】
【０３０４】
１  表示システム，１１  ディスプレイ装置１１２  パーソナルコンピュータ，１３  ＤＤＣ，２１  ディスプレイ部，２２  スタンド部，３１  ＬＣＤ，３２−１乃至３２−４  スピーカ，４１  マグネット，４３  画面検出器，１０１  マイクロコントローラ，１０２  メモリ，１１４  映像回転部，１１５  フレームメモリ，１３３  チャンネルマトリクス切換器１３３，１３４−１乃至１３４−４  音声出力増幅器，１４１−１，１４１−２  セレクタ，２５１  信号生成制御部，２５２  ディスプレイ情報取得部，２５３  壁紙データ取得部，２５４  映像信号生成部
【図１】
2006295313.tif 000003
【図２】
2006295313.tif 000004
【図３】
2006295313.tif 000005
【図４】
2006295313.tif 000006
【図５】
2006295313.tif 000007
【図６】
2006295313.tif 000008
【図７】
2006295313.tif 000009
【図８】
2006295313.tif 000010
【図９】
2006295313.tif 000011
【図１０】
2006295313.tif 000012
【図１１】
2006295313.tif 000013
【図１２】
2006295313.tif 000014
【図１３】
2006295313.tif 000015
【図１４】
2006295313.tif 000016
【図１５】
2006295313.tif 000017
【図１６】
2006295313.tif 000018
【図１７】
2006295313.tif 000019
【図１８】
2006295313.tif 000020
【図１９】
2006295313.tif 000021